(57)【要約】【課題】コンテンツ表示装置の画面にユーザが注目しているタイミングにおいて、該表示装置に目的の広告を表示させる。【解決手段】携帯情報端末（１０）は、テレビ（３０）に対するリモコン操作機能を備えるとともに、テレビ（３０）に対するユーザ操作を受け付けると、該操作に予め対応付けられている広告をテレビ（３０）に送信し、該広告をテレビ（３０）に表示させる。【選択図】図１
2014203402.tif 000002
【特許請求の範囲】
【請求項１】
コンテンツを表示する表示部を有するコンテンツ表示装置をユーザが操作するための操作装置であって、
上記コンテンツ表示装置の上記表示部には、上記コンテンツとともに広告が表示され、
上記コンテンツ表示装置の上記表示部に表示されるコンテンツに対するユーザの操作を受け付ける操作受付手段と、
上記操作受付手段が上記操作を受け付けた場合、上記コンテンツ表示装置の上記表示部に表示される上記広告を、上記操作に対応付けられた広告に切り替えさせる表示制御手段と、を備えることを特徴とする操作装置。
【請求項２】
上記表示制御手段は、上記コンテンツ表示装置の上記表示部に表示されている先の広告が最後まで表示されてから、上記操作に対応付けられた後の広告に切り替えさせることを特徴とする請求項１に記載の操作装置。
【請求項３】
上記操作受付手段が、上記コンテンツ表示装置の上記表示部における先の広告の表示途中に、上記操作を受け付けたとき、上記表示制御手段は、上記先の広告の表示を中断して、上記操作に対応付けられた後の広告に切り替えさせるとともに、該後の広告の表示終了後に、上記先の広告を上記中断した位置あるいは最初から表示させることを特徴とする請求項１に記載の操作装置。
【請求項４】
上記操作受付手段が、先の操作を受け付けた後、所定時間内に後の操作を受け付けたとき、上記表示制御手段は、上記先の操作に対応付けられた広告への切り替えを行わせないことを特徴とする請求項１から３のいずれか１項に記載の操作装置。
【請求項５】
上記操作受付手段が、所定のパターン通りに、連続する複数の上記操作を所定時間内に受け付けたとき、上記表示制御手段は、上記所定のパターンの操作に対応付けられた広告に切り替えさせることを特徴とする請求項１から４のいずれか１項に記載の操作装置。
【請求項６】
上記表示制御手段は、上記操作受付手段が上記操作を受け付けた場合、当該操作に対応付けられた広告を上記コンテンツ表示装置に送信することを特徴とする請求項１から５のいずれか１項に記載の操作装置。
【請求項７】
上記コンテンツ表示装置の上記表示部に表示される広告と同じ広告を表示する第２表示部を備え、
上記表示制御手段は、上記操作受付手段が上記操作を受け付けた場合、上記コンテンツ表示装置の上記表示部に表示される上記広告とともに、上記第２表示部に表示される上記広告を、上記操作に対応付けられた広告に切り替えさせることを特徴とする請求項１から６のいずれか１項に記載の操作装置。
【請求項８】
コンテンツとともに広告を表示する表示部を有するコンテンツ表示装置であって、
上記表示部に表示するコンテンツに対するユーザの操作を受け付ける操作検出手段と、
上記操作検出手段が上記操作を受け付けた場合、上記表示部に表示される上記広告を、上記操作に対応付けられた広告に切り替える広告切替手段と、を備えることを特徴とするコンテンツ表示装置。
【請求項９】
上記操作検出手段は、自装置と通信可能な操作装置を介して上記操作を受け付けることを特徴とする請求項８に記載のコンテンツ表示装置。
【請求項１０】
コンテンツを表示する表示部を有するコンテンツ表示装置をユーザが操作するための操作装置の制御方法であって、
上記コンテンツ表示装置の上記表示部には、上記コンテンツとともに広告が表示され、
上記コンテンツ表示装置の上記表示部に表示されるコンテンツに対するユーザの操作を受け付ける操作受付ステップと、
上記操作受付ステップによって上記操作が受け付けられた場合、上記コンテンツ表示装置の上記表示部に表示される上記広告を、上記操作に対応付けられた広告に切り替えさせる表示制御ステップと、を含むことを特徴とする操作装置の制御方法。
【請求項１１】
請求項１から７のいずれか１項に記載の操作装置としてコンピュータを機能させるための制御プログラムであって、コンピュータを上記各手段として機能させるための制御プログラム。
【発明の詳細な説明】
【技術分野】
【０００１】
本発明は、コンテンツを表示する表示部を有するコンテンツ表示装置をユーザが操作するための操作装置などに関する。
【背景技術】
【０００２】
従来から、テレビ等の表示装置に表示させる広告の広告効果を向上させるための研究が広く行われてきた。
【０００３】
例えば下掲の特許文献１には、放送局から送られてきた番組コンテンツを受信する番組端末装置と、放送中または放送済みの番組コンテンツに対応した番組関連情報を保有し放送局と連携して機能する情報サーバと、インターネットを経由して該情報サーバに接続する携帯端末装置と、を含む双方向情報伝達システムが開示されている。
【０００４】
また特許文献２には、簡単な操作で手元にあるリモコン等の端末装置のディスプレイに、視聴シーンに連動する詳細情報をリアルタイムで表示する詳細情報管理システムが開示されている。
【先行技術文献】
【特許文献】
【０００５】
【特許文献１】特開２００３−２３４７０９号公報（２００３年８月２２日公開）
【特許文献２】特開２０１２−２０５１８６号公報（２０１２年１０月２２日公開）
【発明の概要】
【発明が解決しようとする課題】
【０００６】
しかしながら、上記のような従来技術は、テレビ等の表示装置に表示される広告の詳細情報等を、該表示装置とは別の表示装置に表示させるものであり、ユーザが表示装置に注目しているタイミングにおいて、広告を該表示装置に確実に表示させるものではない。すなわち、上記のような従来技術は、テレビ等のコンテンツ表示装置の画面（表示部）にユーザが注目しているタイミングにおいて、該コンテンツ表示装置の画面（表示部）に広告を表示させることができなかったという問題がある。
【０００７】
本発明は、上記の問題点に鑑みてなされたものであり、その目的は、テレビ等のコンテンツ表示装置の画面にユーザが注目しているタイミングにおいて、該コンテンツ表示装置の画面に広告を表示することができる操作装置等を実現することにある。
【課題を解決するための手段】
【０００８】
上記の課題を解決するために、本発明の一態様に係る操作装置は、コンテンツを表示する表示部を有するコンテンツ表示装置をユーザが操作するための操作装置であって、上記コンテンツ表示装置の上記表示部には、上記コンテンツとともに広告が表示され、上記コンテンツ表示装置の上記表示部に表示されるコンテンツに対するユーザの操作を受け付ける操作受付手段と、上記操作受付手段が上記操作を受け付けた場合、上記コンテンツ表示装置の上記表示部に表示される上記広告を、上記操作に対応付けられた広告に切り替えさせる表示制御手段と、を備えていることを特徴としている。
【発明の効果】
【０００９】
本発明の一態様によれば、コンテンツ表示装置の画面（表示部）にユーザが注目しているタイミングにおいて、該コンテンツ表示装置に、広告を表示させることができるという効果を奏する。
【図面の簡単な説明】
【００１０】
【図１】本発明の一態様に係る携帯情報端末の要部構成の一例を示すブロック図である。
【図２】図１の携帯情報端末を含む広告システムの概要を示す図である。
【図３】テレビに対するユーザ操作（操作ボタン）に対応付けられて記憶されている広告のデータ構造および具体例を示す図である。
【図４】図２に示す携帯情報端末とテレビとの連携状態の前後における、携帯情報端末とテレビとに表示される画面を示す図である。
【図５】図１の携帯情報端末の画面例を示す図である。
【図６】図１の携帯情報端末の処理の流れを示すフローチャートである。
【図７】図６の処理の流れに従う、携帯情報端末およびテレビの画面遷移図である。
【図８】携帯情報端末およびテレビの、別の画面遷移図である。
【図９】携帯情報端末およびテレビの、さらに別の画面遷移図である。
【図１０】テレビに対するユーザ操作（操作ボタン）に対応付けられて記憶されている広告の、図３に示すのとは別の、データ構造および具体例を示す図である。
【発明を実施するための形態】
【００１１】
図１〜図１０に基づいて、本発明の実施の形態について詳細に説明する。
【００１２】
〔実施形態１〕
以下では、本発明の一態様に係る操作装置を、テレビ３０（コンテンツ表示装置）を操作することのできる携帯情報端末１０に適用した例について説明する。携帯情報端末１０は、テレビ３０を遠隔操作（リモートコントロール操作、以下「リモコン操作」と略記する）することができる。携帯情報端末１０の理解を容易にするため、以下にまず、広告システム１の概要について整理しておく。
【００１３】
（広告システムの概要）
図２は、携帯情報端末１０を含む、本発明の一態様に係る広告システム１の概略的な構成を示す図である。広告システム１は、通信ネットワークを介して互いに通信可能な携帯情報端末１０と広告配信サーバ２０、および携帯情報端末１０と通信可能なテレビジョン受像機（以下、単に「テレビ」と称する）３０を含んで構成される。
【００１４】
携帯情報端末１０は、テレビ３０に付属の専用リモコンと同じように、テレビ３０に対するチャンネル切替、音量調整等のユーザ操作を、タッチパネル１５１、操作ボタン１５２等を介して受け付け、該ユーザ操作に応じた処理をテレビ３０に実行させる。すなわち、携帯情報端末１０は、テレビ３０に対するリモコン操作機能を備える。携帯情報端末１０はさらに、上記ユーザ操作を受け付けると、上記ユーザ操作に対応付けられた広告を、テレビ３０に送信し、テレビ３０の画面（表示部）に、図２に即して言えば、テレビ３０の画面の右上に設けられた広告表示用の専用枠に、該広告を表示させる。また、携帯情報端末１０は、テレビ３０に送信し、テレビ３０に表示させる広告を、広告配信サーバ２０から取得（受信）する。なお、詳細は後述するが、携帯情報端末１０は、該広告をテレビ３０に表示させた回数などの表示結果を広告配信サーバ２０へ送信してもよい。
【００１５】
テレビ３０は、携帯情報端末１０から受信する広告等を表示するとともに、放送局から放送される電波を受信してテレビ番組Ｐｇ１（携帯情報端末１０以外から取得するコンテンツ）を表示（再生）することができる。また、テレビ３０は、テレビ３０に有線または無線で接続される録画装置（図示しない）等によって供給されるコンテンツ（携帯情報端末１０以外から取得するコンテンツ）を表示することができる。なお、上記録画装置等はテレビ３０に内蔵されていてもよい。さらに、テレビ３０は、テレビ３０に対するリモコン操作装置としての携帯情報端末１０から、チャンネル切替、音量調整等のユーザ操作に対応するコマンド信号（操作信号）を受信し、該信号に対応する処理を実行する。
【００１６】
図２において、テレビ３０の画面（表示部）の左側には、携帯情報端末１０以外から取得したコンテンツ（テレビ番組Ｐｇ１）が表示されており、テレビ３０の画面の右側には、携帯情報端末１０から取得した広告等（広告Ａ１およびアプリＡｐ１）が表示されている。一方、携帯情報端末１０は、テレビ３０に対するリモコン操作機能を備える。つまり、テレビ３０の画面の左側に表示されている、携帯情報端末１０以外から取得したコンテンツの表示（再生）に係る、携帯情報端末１０を介したユーザの操作（例えば、テレビ番組Ｐｇ１のチャンネル切替・音量再生等）を、携帯情報端末１０はテレビ３０に実行させる。また、携帯情報端末１０は、上記ユーザの上記操作（例えば、テレビ番組Ｐｇ１のチャンネル切替・音量再生等）に対応付けられた広告を、テレビ３０に、より正確には、テレビ３０の画面の右側上部の広告表示用の専用枠に、表示させる。
【００１７】
広告配信サーバ２０は、携帯情報端末１０に広告を配信する汎用計算機である。また、広告配信サーバ２０は、携帯情報端末１０に送信した広告の、テレビ３０に表示された回数などの表示結果を、受信することができてもよい。
【００１８】
携帯情報端末１０がテレビ３０に送信し、テレビ３０に表示させる広告は、携帯情報端末１０において、テレビ３０に対するユーザ操作（例えば、チャンネル切替・音量調整等）に対応付けられている。ここで、ユーザがテレビ３０に対し、チャンネル切替、音量調整等の操作を行なおうとしている場合、ユーザは、テレビ３０の表示画面を見ている可能性が高い。従って、ユーザによる、テレビ３０へのチャンネル切替・音量調整等の操作に広告を対応付け、ユーザによる該操作に応じて該広告をテレビ３０へ表示させることによって、ユーザが該広告を認識する可能性は高くなる。
【００１９】
しかも、放送番組に挿入されてテレビ３０に表示される挿入広告の場合は、広告の途中であっても、ユーザがチャンネル切替操作を行うと、該広告はチャンネル（番組）と一緒に切り替わり、最後まで表示されない。例えば、広告の最初から最後まで表示されるのに１５秒間かかる広告について、該広告の表示が開始されてから７秒の時点でユーザがチャンネル切替操作を行うと、該広告はチャンネル（番組）と一緒に切り替わり、残りの８秒間は表示されない。これに対し、携帯情報端末１０がテレビ３０に送信し、テレビ３０に表示させる広告は、ユーザによるテレビ３０のチャンネル切替操作によって、広告が最後まで表示されずに、表示されている番組と一緒に途中で切替わってしまうといったことがない。
【００２０】
なお、携帯情報端末１０はさらに、テレビ３０が実行する処理、およびテレビ３０の画面サイズ等、テレビ３０における上記広告の表示結果に係る情報を、テレビ３０から取得することができてもよい。例えば、テレビ３０の画面サイズ、および、上記広告を表示させている間に上記広告と一緒にテレビ３０に表示されている上記広告以外のコンテンツ（図２における「テレビ番組Ｐｇ１」）に係る情報を、携帯情報端末１０はテレビ３０から取得する。そして、テレビ３０から取得した上記の情報を、広告をテレビ３０に表示させた回数などと一緒に、広告の表示結果として、広告配信サーバ２０に送信してもよい。
【００２１】
広告配信サーバ２０が取得する上記表示結果情報を分析することによって、広告の利用状況、例えば、どのような広告が、何回、テレビ３０に表示され、ユーザに関心を持たれた広告であるのかといった点を研究することができる。さらに、携帯情報端末１０は、上記広告の表示結果と一緒に、携帯情報端末１０の識別情報、および携帯情報端末１０の利用履歴などの、携帯情報端末１０が持っている情報を、広告配信サーバ２０に送信してもよい。その場合、携帯情報端末１０が持っている情報から、携帯情報端末１０のユーザの特性を知ることができれば、広告の広告効果についての研究について、例えば以下のような点から、研究を進めることも可能となる。すなわち、どのようなユーザ特性を有する消費者が、どのような状況（例えばどのような番組を見ている時に）において、どのような広告に関心を抱く傾向があるのか、といったことを分析することも可能となる。
【００２２】
次に、以上のような機能を実現することのできる広告システム１における、携帯情報端末１０の構成について説明する。
【００２３】
（携帯情報端末の概要）
携帯情報端末１０について、最初に概要を説明しておけば、以下の通りである。すなわち、携帯情報端末１０は、テレビ３０に対するリモコン操作機能（例えば、チャンネル切替、および音量調整等）を備え、各リモコン操作機能に対応付けて広告を記憶している。携帯情報端末１０は、テレビ３０に対するユーザからのチャンネル切替・音量調整等の操作を受け付けると、該操作に対応するリモコン信号をテレビ３０に送信して、該操作に対応する処理をテレビ３０に実行させる。携帯情報端末１０はまた、上記操作に対応付けられている広告をテレビ３０に送信し、該広告をテレビ３０に表示させる。
【００２４】
（携帯情報端末の要部構成）
図１は、携帯情報端末１０の要部構成の一例を示すブロック図である。図１に示すとおり、携帯情報端末１０は、制御部１１０と、第１通信部１２０と、第２通信部１３０と、第３通信部１４０と、操作部１５０と、音声入出力部１６０と、表示部１７０と、記憶部１８０とを含んで構成され、例えばスマートフォンによって実現される。本実施形態では、携帯情報端末１０として、スマートフォンなどの携帯電話機を想定している。しかし、携帯情報端末１０は携帯電話機に限定されることはなく、他の実施形態では、たとえばＰＤＡ（Personal Digital Assistant）のように電話機能を備えていない端末装置によって実現されてもよい。なお、記載の簡潔性を担保するため、本実施の形態に直接関係のない構成（電話回線を利用して通話を実現する部分など）は、説明およびブロック図から省略している。ただし、実施の実情に則して、携帯情報端末１０は、当該省略された構成を備えてもよい。
【００２５】
携帯情報端末１０としては、テレビジョン受像機（以下、「テレビ」と略記する）３０をリモコン操作するための無線信号を送信可能に構成されるものであればよい。携帯情報端末１０はさらに、通信ネットワークを介して広告配信サーバ２０と通信可能に構成されるとともに、画像を表示可能な表示部１７０（図２、図３参照）を備え、テレビ３０に表示させる広告を、テレビ３０に送信可能に構成される。
【００２６】
第１通信部１２０は、携帯情報端末１０が外部の機器（広告配信サーバ２０）と通信するためのものである。具体的には、携帯情報端末１０は、第１通信部１２０を介して広告配信サーバ２０と通信を行い、広告配信サーバ２０から広告を受信する。また、詳細は後述するが、携帯情報端末１０は、広告配信サーバ２０から取得した広告の表示結果（表示結果情報１８２）を、第１通信部１２０を介して、広告配信サーバ２０に送信してもよい。広告の表示結果とは、例えば、どのようなサイズの画面に、どの程度の期間、広告を表示したか、等の情報である。
【００２７】
第２通信部１３０は、携帯情報端末１０がテレビ３０と通信し、テレビ３０に表示させるコンテンツ（広告）をテレビ３０に送信するためのものである。すなわち、携帯情報端末１０は、第２通信部１３０を介して、テレビ３０に表示させる広告等のコンテンツを、Ｍｉｒａｃａｓｔなどのワイヤレス方式、または、ＨＤＭＩ（登録商標）、ＨＭＬなど有線方式によって、無線通信または有線通信によって、テレビ３０に送信する。
【００２８】
第３通信部１４０は、携帯情報端末１０がテレビ３０と通信し、テレビ３０をリモコン操作するための各種のコマンド信号（操作信号）を、例えば無線通信によって送信するためのものである。詳細は後述するが、各種の操作信号は、ユーザによる操作部１５０への所定の入力操作に応じて、制御部１１０（特に操作信号生成部１１３）によって生成される。第３通信部１４０は、制御部１１０によって生成される各種の操作信号を、赤外線通信によって外部へ送信するように構成されてもよく、ＩＥＥＥ８０２．１１、Ｂｌｕｅｔｏｏｔｈ（登録商標）およびＺｉｇｂｅｅ（登録商標）などの無線通信によって外部へ送信するように構成されてもよい。携帯情報端末１０において、第３通信部１４０は、各種の操作信号を、赤外線通信によって外部へ送信する機能と、Ｗｉ−Ｆｉ、つまりＩＥＥＥ８０２．１１による無線通信によって外部へ送信する機能との両方を備えて構成されている。
【００２９】
なお、携帯情報端末１０は、第３通信部１４０を介して、テレビ３０から、テレビ３０の画面サイズ、広告配信サーバ２０から取得した広告等のコンテンツをテレビ３０に表示させた期間、および、該コンテンツと一緒にテレビ３０に表示された、該コンテンツ以外のコンテンツ（つまり携帯情報端末１０から受信したコンテンツ以外のコンテンツ）に係る情報を、例えば無線通信によって受信してもよい。受信したそれらの情報は、記憶部１８０に、表示結果情報として格納される。
【００３０】
操作部１５０は、制御部１１０に対するユーザからの指令、およびデータ入力のための操作を受け付け、具体的には、タッチパネル１５１と、複数の操作ボタン１５２とによって実現される。操作部１５０に対する、ボタン押下等のユーザ操作は、入力受付部１１２によって、該ユーザ操作に応じた指令信号および入力データへと変換される。
【００３１】
音声入出力部１６０は、制御部１１０に対するユーザからの音声による指令、およびデータ入力のための操作を受け付け、また、制御部１１０等の動作結果を、音声によって、ユーザに通知する。音声入出力部１６０は、具体的には、例えば、着信音等のサウンドおよび通話時の音声を出力するスピーカと、通話時および音声による指令・データ入力の際にユーザの音声が入力されるマイクとによって実現される。音声入出力部１６０に対する、ユーザの音声による指令・データ入力（操作）は、入力受付部１１２によって、ユーザの音声による該操作に応じた指令信号および入力データへと変換される。なお、音声入出力部１６０は、電話機能を実現するための構成を含むが、電話機能の技術は公知であるため説明を省略する。
【００３２】
表示部１７０は、画像を表示することができるように構成され、例えば、液晶パネルおよびバックライトユニットを備える液晶ディスプレイによって実現される。表示部１７０には、電話機能および電子メール機能を使用する際の操作画面、ウェブブラウザ１８４によるウェブサイト閲覧画面、などの各種画面が表示される。なお、詳細は後述するが、ユーザは、表示部１７０に表示される操作ボタンアイコン（以下では単に「操作ボタン」を表記し、特に必要がない限り、表示部１７０に表示される「操作ボタン」と、操作ボタン１５２とは区別しない）をタッチ（押下）して、携帯情報端末１０をテレビ３０に対するリモコン操作装置として使用する。
【００３３】
記憶部１８０は、携帯情報端末１０が使用する各種データを格納する記憶装置である。なお、記憶部１８０は、携帯情報端末１０の制御部１１０が実行する（１）制御プログラム、（２）ＯＳプログラム、（３）制御部１１０が、携帯情報端末１０が有する各種機能を実行するためのアプリケーションプログラム、および、（４）該アプリケーションプログラムを実行するときに読み出す各種データを非一時的に記憶してもよい。記憶部１８０に格納されているデータの一例を挙げれば、ウェブブラウザ１８４のほか、テレビ受像機との連携機能を実現させるためのテレビ制御用アプリケーション１８３、およびテレビ制御用アプリケーション１８３を実行する際に必要な各種のデータである。上記の（１）〜（４）のデータは、例えば、ＲＯＭ（read only memory）、フラッシュメモリ、ＥＰＲＯＭ（Erasable Programmable ROM）、ＥＥＰＲＯＭ（登録商標）（Electrically EPROM）、ＨＤＤ（Hard Disc Drive）等の不揮発性記憶装置に記憶される。なお、テレビ制御用アプリケーション１８３が携帯情報端末１０にインストールされ実行されることによって、携帯情報端末１０は、テレビ３０との連携機能（テレビ３０への広告および操作信号の送信、テレビ３０の画面サイズおよびの該広告の表示期間等のテレビ３０からの受信）を実現することが可能となる。
【００３４】
携帯情報端末１０は、図示しない一時記憶部を備えていてもよい。一時記憶部は、携帯情報端末１０が実行する各種処理の過程で、演算に使用するデータおよび演算結果等を一時的に記憶するいわゆるワーキングメモリであり、ＲＡＭ（Random Access Memory）などの揮発性記憶装置で構成される。
【００３５】
どのデータをどの記憶装置に記憶するのかについては、携帯情報端末１０の使用目的、利便性、コスト、または、物理的な制約などから適宜決定される。
【００３６】
記憶部１８０はさらに、詳細は後述するが、広告配信サーバ２０から取得した広告情報１８１、および、テレビ３０の画面サイズ、テレビ３０に該広告を表示させた時間、テレビ３０に該広告を表示させた際に該広告と一緒にテレビ３０に表示されていた番組（チャンネル）等の表示結果情報１８２を格納している。
【００３７】
制御部１１０は携帯情報端末１０の機能を統括して制御するものである。図示の制御部１１０には、機能ブロックとして、広告取得部１１１、入力受付部１１２、操作信号生成部１１３、広告選択部１１４、表示制御部１１５が含まれている。上述した制御部１１０の各機能ブロックは、例えば、ＣＰＵ（central processing unit）などが、ＲＯＭ（read only memory）、ＮＶＲＡＭ（non-Volatile random access memory）等で実現された記憶装置（記憶部１８０）に記憶されているプログラムを不図示のＲＡＭ（random access memory）等に読み出して実行することで実現できる。
【００３８】
以下、制御部１１０中の各機能ブロックについて説明する。
【００３９】
（各機能ブロックの概要）
広告取得部１１１は、広告配信サーバ２０へ広告を要求する信号を送信し、広告配信サーバ２０から広告を取得し、該広告を記憶部１８０に、広告情報１８１として格納する。
【００４０】
入力受付部１１２は、携帯情報端末１０のユーザによる、操作部１５０への操作を受け付ける手段である。入力受付部１１２は、例えばユーザが音声入出力部１６０に発した言葉をユーザ操作として受け付けもよい。
【００４１】
操作信号生成部１１３は、入力受付部１１２によって受け付けられたユーザ操作に応じて、テレビ３０をリモコン操作するための各種のコマンド信号（操作信号）を生成する。そして、操作信号生成部１１３は、上記コマンド信号（操作信号）を、第３通信部１４０を介してテレビ３０に送信し、上記ユーザ操作に応じた処理をテレビ３０に実行させる。
【００４２】
広告選択部１１４は、記憶部１８０の広告情報１８１を参照して、入力受付部１１２によって受け付けられたユーザ操作に対応付けられている広告を取得し、該広告を表示制御部１１５に通知する。
【００４３】
表示制御部１１５は、表示部１７０に表示させる画面を制御するとともに、第２通信部を介してテレビ３０に画像データを送信し、テレビ３０に表示させる画像を制御する。本実施の形態において表示制御部１１５は、表示部１７０に表示させる画面と同じ内容を、テレビ３０に送信して、テレビ３０に表示させる。表示制御部１１５はさらに、表示部１７０に表示させる画面と、テレビ３０に表示させる画像との同期をとっている。つまり、表示制御部１１５は、表示部１７０に広告を表示させ始めるのと同時に、テレビ３０に該広告を表示させ始め、表示部１７０に該広告を表示させ終わるのと同時に、テレビ３０に該広告を表示させ終わる。例えば、表示部１７０において或る広告の表示が開始されてから３秒が経過した時点において、テレビ３０において該広告は、表示され始めてから３秒が経過している。従って、表示制御部１１５は、携帯情報端末１０からテレビ３０に送信し、テレビ３０に表示させているコンテンツ（広告）の表示状況を、つまり、該コンテンツを最後まで表示させ終わったのかまたは途中までしか表示させていないのかを、テレビ３０に問い合わせることなく、判定することができる。なお、表示制御部１１５は、広告ごとに、テレビ３０に送信して、テレビ３０に表示させた回数を、表示結果情報１８２として記憶部１８０に格納する。
【００４４】
携帯情報端末１０は、表示制御部１１５によって記憶部１８０に格納された表示結果情報１８２を、第１通信部１２０を介して、広告配信サーバ２０に送信する。
【００４５】
なお、図１には図示していないが、携帯情報端末１０はさらに、例えば、テレビ３０の画面サイズ、テレビ３０に表示させる広告と一緒にテレビ３０に表示されている該広告以外のコンテンツ（図２における「テレビ番組Ｐｇ１」）に係る情報等を、テレビ３０から、取得するための取得部（取得手段）を備えてもよい。そして、上記取得手段は、テレビ３０から取得した上記の情報を、表示結果情報１８２として記憶部１８０に格納してもよい。携帯情報端末１０は、携帯情報端末１０がテレビ３０に広告を表示させた回数に加え、上記取得手段によってテレビ３０から取得された上記の情報を含む、表示結果情報１８２を、第１通信部１２０を介して、広告配信サーバ２０に送信する。
【００４６】
（記憶部に格納されている情報について）
図３および図１０を参照して、テレビ３０に対するリモコン操作（操作ボタン）に対応付けられて記憶されている広告の、つまり広告情報１８１の、データ構造および具体例を説明する。
【００４７】
図３は、テレビ３０に対する１つ１つのリモコン操作（操作ボタン）に、１つの広告が対応付けられて記憶されている広告情報１８１の、データ構造および具体例を示す図である。図３に示すように、広告情報１８１において、ユーザによるテレビ３０への操作（操作ボタン）に対応付けられて広告は格納されている。
【００４８】
例えば、図３の１行目は、各広告を一意に識別するための広告ＩＤが「Ａ１」である広告が、「大阪」地域における「４ｃｈ」の操作ボタン（つまり、「大阪」地域において、４チャンネルを選局するユーザ操作）に対応付けられていることを示している。また２行目は、広告ＩＤが「Ａ２」である広告が、「大阪」地域における「６ｃｈ」の操作ボタンに対応付けられていることを示している。
【００４９】
なお、各操作ボタン（各ユーザ操作）に対応付けられて格納される広告は、１つの広告でなくともよく、複数の広告が１つの操作ボタンに対応付けられていてもよい。
【００５０】
図１０は、テレビに対する１つ１つの操作ボタン（ユーザ操作）に、複数の広告が対応付けられて記憶されている広告情報１８１のデータ構造および具体例を示す図である。
【００５１】
例えば、図１０において、「大阪」地域における「４ｃｈ」の操作ボタン（つまり、「大阪」地域において、４チャンネルを選局するユーザ操作）には、広告ＩＤが「Ａ４ｄ１」から「Ａ４ｄ５」までの５つの広告が、対応付けられている。
【００５２】
ここで、図１０において「掲載期間」とは、各広告が、表示部１７０およびテレビ３０に表示される可能性のある期間である。広告の掲載期間中であっても、該広告が対応付けられている操作ボタンが一度も掲載期間中にユーザによって押下されなかった場合には、該広告は、表示部１７０およびテレビ３０に表示されない。一方で、例えば、「２０１３年のゴールデンウィーク（ＧＷ）期間中に実施するバーゲン」の広告が対応付けられている操作ボタンが、「２０１３年のＧＷ」終了後に押下された場合、該広告が「２０１３年のＧＷ」終了後に表示されることは好ましくない。従って、各操作ボタンに対応付けられて記憶されている広告が、表示部１７０およびテレビ３０に表示される可能性のある期間が、「掲載期間」の列に格納される。
【００５３】
また、図１０において「コンテンツ」とは、広告ＩＤに対応する広告のデータの名称である。図１０の「コンテンツ」の列を見ても分かるように、携帯情報端末１０がテレビ３０に表示させる広告は、表示を開始させてから終了させるまでに一定の時間がかかる動画に限られるものではなく、静止画であってもよい。
【００５４】
なお、テレビ３０に静止画広告を表示させている状況で、例えばユーザによるチャンネル切替操作（例えば、８チャンネルから４チャンネルへの切替操作）を受け付けると、表示制御部１１５は、以下のように動作する。すなわち、ユーザによる上記チャンネル切替操作を受け付けると、表示制御部１１５は、テレビ３０に現在表示させている上記静止画広告の表示を終了させ、４チャンネルに対応付けられている広告（図３の広告情報１８１では「広告Ａ１」）を、テレビ３０に表示させる。静止画広告の場合、表示させた時点で「最後まで表示させる」ことになるため、表示制御部１１５は、ユーザによる上記チャンネル切替操作を受け付けると直ぐに、テレビ３０に表示させる広告を、上記静止画広告から、広告Ａ１に切り替える。ただし、静止画広告の場合であっても、「該静止画広告の表示が開始されてから一定時間（例えば１０秒）以上経過してから」、次の広告（上記の例で言えば広告Ａ１）を、表示させる、としてもよい。静止画広告であっても、あまりに短い時間しか表示されず、つまり広告の内容がユーザに認識されないような場合には、広告としての機能を果たせないため、一定時間は表示させることが望ましいからである。
【００５５】
ユーザによって或る操作ボタンが操作（押下）されると、広告選択部１１４は、まず、図１０の広告情報１８１を参照して、該操作ボタンに対応付けられている複数の広告のうち、該操作の時点で掲載期間内の広告を抽出する。広告選択部１１４は、次に、上記抽出した広告に、テレビ３０に表示させる順序（表示順序）を所定のルールに基づいて設定し、該表示順序に従って、各広告を表示制御部１１５に送信する。なお、表示順序を決定するための所定のルールとしては、例えば、「掲載終了期間が近づいている順」を採用することができる。ただし、所定のルールの内容はこれに限られるものでなく、広告選択部１１４が、該所定のルールに基づいて、複数の広告についてテレビ３０に表示させる順序を決めることができるものであればよい。例えば、テレビ３０に現在表示されているテレビ番組の情報（ジャンル、出演者、・・・）、ユーザの携帯情報端末１０の利用状況、および、それらから推定されるユーザ特性・ユーザの嗜好等に応じて、テレビ３０に表示させる広告の表示順序を決定してもよい。また、上記所定のルール、および上記所定のルールに基づいて広告選択部１１４が広告の表示順序を決定するための基礎となる情報（例えば、ユーザ特性・ユーザの嗜好等に係る情報）は、携帯情報端末１０が記憶しておく必要はなく、図示しないサーバから取得してもよい。以上のように、掲載期間の重複する複数の広告が１つの操作ボタンに対応付けられており、かつ、該操作ボタンが該掲載期間内にユーザによって操作（押下）された場合、広告選択部１１４は、上記所定のルールに基づいて、該複数の広告に表示順序を設定し、該表示順序に従って、該複数の広告を表示制御部１１５に送信する。表示制御部１１５は、広告選択部１１４から受信する広告を、広告選択部１１４から受信した順序で、テレビ３０（および表示部１７０）に表示させる。
【００５６】
例えば、携帯情報端末１０が「掲載終了期間が近づいている順」にテレビ３０に広告を表示させるというルールを採用している状態で、２０１３年４月３０日に、「大阪」地域において「４ｃｈ」ボタンが押下された場合、広告選択部１１４は以下の処理を行う。
【００５７】
すなわち、広告選択部１１４はまず、「大阪」地域における「４ｃｈ」ボタンに対応付けられている、広告Ａ４ｄ１から広告Ａ４ｄ５までの５つの広告のうち、「２０１３年４月３０日」が掲載期間中の広告を取得する。具体的には、図１０に例示する広告情報１８１の１行目に格納されている広告Ａ４ｄ１は、掲載期間が「２０１３年５月６日から同年の５月６日９時半まで」であり、「２０１３年４月３０日」は掲載期間外であるから除外される。同様に、４行目に格納されている広告Ａ４ｄ４は、掲載期間が「２０１３年５月１日１０時から同年の５月１０日１０時まで」であり、「２０１３年４月３０日」は掲載期間外であるから除外される。残るＡ４ｄ２、Ａ４ｄ３、Ａ４ｄ５は、「大阪」地域における「４ｃｈ」ボタンに対応付けられ、「２０１３年４月３０日」が掲載期間中の広告である。
【００５８】
次に、広告選択部１１４は、Ａ４ｄ２、Ａ４ｄ３、Ａ４ｄ５の掲載終了日時を比較して、Ａ４ｄ２、Ａ４ｄ３、Ａ４ｄ５について、「掲載終了期間が近づいている順」に、並び替える。図１０に例示する広告情報１８１において、Ａ４ｄ２の掲載終了日時は、「２０１３年５月１７日２４時」であり、Ａ４ｄ３の掲載終了日時は、「２０１３年５月３１日２４時」であり、Ａ４ｄ５の掲載終了日時は、「２０１３年５月１５日１８時」である。従って、広告選択部１１４は表示制御部１１５に、まずＡ４ｄ５を、次にＡ４ｄ２を、最後にＡ４ｄ３を、送信する。
【００５９】
表示制御部１１５は、テレビ３０（および表示部１７０）に、まずＡ４ｄ５を表示させ、Ａ４ｄ５を最後まで表示させ終えてから、次にＡ４ｄ２を表示させ、Ａ４ｄ２を最後まで表示させ終えると、最後にＡ４ｄ３を表示させる。
【００６０】
ただし、以上で図３および図１０を用いて説明した広告情報１８１のデータ構造は、図３または図１０に示すデータ構造に限られるものではなく、携帯情報端末１０がテレビ３０に表示させる広告が、テレビ３０に対するユーザ操作に対応付けられていればよい。
【００６１】
記憶部１８０は、さらに、携帯情報端末１０が広告配信サーバ２０から取得し、テレビ３０に表示させた広告について、広告ごとのテレビ３０における表示結果である、表示結果情報１８２が格納されている。
【００６２】
上記のように、表示制御部１１５は、テレビ３０に広告を送信し、テレビ３０に該広告を表示させる。そして、表示制御部１１５は、テレビ３０に広告を表示させると、該広告をテレビ３０に表示させた回数を、記憶部１８０に、広告ごとのテレビ３０における表示結果（表示結果情報１８２）として、格納する。
【００６３】
また、上記のように、図１には図示していないが、携帯情報端末１０はさらに取得手段を備えてもよい。上記取得手段は、例えば、テレビ３０の画面サイズ、テレビ３０に表示させる広告と一緒にテレビ３０に表示されている該広告以外のコンテンツ（図２における「テレビ番組Ｐｇ１」）に係る情報等を、テレビ３０から、取得し、該情報等を表示結果情報１８２として記憶部１８０に格納する。
【００６４】
携帯情報端末１０は、携帯情報端末１０がテレビ３０に広告を表示させた回数に加え、上記取得手段によってテレビ３０から取得された上記の情報を含む、表示結果情報１８２を、第１通信部１２０を介して、広告配信サーバ２０に送信する。
【００６５】
以上のように、携帯情報端末１０は、コンテンツを表示する画面（表示部）を有するテレビ３０をユーザが操作するための操作装置であって、テレビ３０の上記画面には、上記コンテンツとともに広告が表示され、テレビ３０の上記画面に表示されるコンテンツに対するユーザの操作を受け付ける入力受付部１１２（操作受付手段）と、入力受付部１１２が上記操作を受け付けた場合、テレビ３０の上記画面に表示される上記広告を、上記操作に対応付けられた広告に切り替えさせる表示制御部１１５（表示制御手段）と、を備える。
【００６６】
ユーザが、テレビ３０の画面（より正確には、画面の左側）に表示されている、携帯情報端末１０以外から取得したコンテンツ（例えば、テレビ番組Ｐｇ１）の表示（再生）についての操作（例えば、チャンネル切替・音量調整等）を行なおうとしている場合、ユーザは、テレビ３０の画面に注目している可能性が高い。携帯情報端末１０は、このタイミングにおいて、テレビ３０の画面（より正確には、画面の右上の広告表示用の専用枠）に、上記操作に対応付けられている広告を表示させることができる。すなわち、携帯情報端末１０は、ユーザがテレビ３０の画面に注目しているタイミングにおいて、広告を、テレビ３０に画面に表示させることができ、該広告の広告効果を向上させることができる。
【００６７】
さらに、表示制御部１１５によって、テレビ３０の上記画面に表示される上記広告は、表示を切り替えられ、つまり、上記広告の上記表示部における表示の切替のタイミングは、表示制御部１１５によって制御される。従って、上記画面に表示される上記広告は、表示制御部１１５によって、上記画面に、最後まで表示されることが可能となる。
【００６８】
さらに、テレビ３０の上記画面に表示されるコンテンツに対して上記ユーザが上記操作を行うタイミングにおいて、上記ユーザは、上記画面に注目しているのが一般的である。従って、上記ユーザがテレビ３０の上記画面に注目している可能性の高いタイミングにおいて、上記広告を、上記画面に表示させることができる。すなわち、テレビ３０の上記画面にユーザが注目しているタイミングにおいて、上記画面に、上記操作に対応付けられた広告を、最後まで表示させることが可能となる。
【００６９】
一般に、テレビに表示される広告と言えば、テレビ番組内に含まれる広告、つまり番組本編に挿入されている挿入広告である。挿入広告の場合、ユーザがチャンネル切替操作をすると、広告の途中であってもチャンネルが切替わり、つまり、挿入広告は、該広告が挿入されていたチャンネル（テレビ番組）と一緒に、別のチャンネル（テレビ番組）へと切替わってしまう。
【００７０】
ここで、テレビ等の表示装置に表示される広告は、一般的に、例えば１０数秒といった所定の長さを有する広告であって、該広告の最初から、該広告の最後まで表示される（ユーザに見てもらう）ことを期待されて、制作されていることが多い。特に、１広告中にストーリー性を持たせている広告については、ストーリーの最後までユーザに見てもらうことによって、所望の広告効果を発揮することができるよう制作されているケースが多い。
【００７１】
従って、広告が途中までしか表示されず、最後まで表示されない場合、広告は本来予定していた広告効果を発揮することができない。
【００７２】
本実施の形態における、テレビ３０は、携帯情報端末１０がテレビ３０に送信し、テレビ３０に表示させる広告（コンテンツ）と、携帯情報端末１０以外から取得したコンテンツ（例えばテレビ番組）とを、表示することができる。
【００７３】
また、携帯情報端末１０は、テレビ３０に表示されるコンテンツであって、携帯情報端末１０以外から取得したコンテンツの表示（再生）に対するユーザ操作を受け付け、該ユーザ操作に対応する操作信号を生成してテレビ３０に送信し、該ユーザ操作に対応する処理をテレビ３０に実行させる。例えば、チャンネル切替・音量調整等の、テレビ３０に表示されるコンテンツであって、携帯情報端末１０以外から取得したコンテンツの表示（再生）に対するユーザ操作を受け付けると、該ユーザ操作に応じて、テレビ３０に、表示（再生）しているチャンネルを切り替えさせ、音量を調整させる。すなわち、携帯情報端末１０は、テレビ３０に表示されるコンテンツであって、携帯情報端末１０以外から取得したコンテンツの表示（再生）に対するリモコン操作機能を備える。
【００７４】
携帯情報端末１０はまた、テレビ３０に広告を送信し、該広告を表示させる、広告表示制御機能を備える。ここで、携帯情報端末１０は、テレビ３０に表示されるコンテンツであって、携帯情報端末１０以外から取得したコンテンツの表示（再生）に対するユーザ操作（例えば、チャンネル切替・音量調整）に対応付けて広告を格納している。携帯情報端末１０は、上記ユーザ操作を受け付けると、テレビ３０（および表示部１７０）に、上記ユーザ操作に対応付けられた広告を表示させる。ただし、携帯情報端末１０は、テレビ３０に現在表示させている広告を最後まで表示させ終えてから、上記ユーザ操作に対応付けられた広告を、テレビ３０（および表示部１７０）に表示させる。例えば、携帯情報端末１０の表示部１７０に表示されたチャンネルボタンを押下（タッチ）した場合、テレビ３０で表示されている放送局（番組）は、押下したチャンネルボタンに対応する放送局にすぐに切り変わる。一方、携帯情報端末１０からテレビ３０に送信し、テレビ３０に表示させている広告は、現在表示中の広告が最後まで再生された後、次の広告（ユーザが押下したチャンネルボタンに対応する広告）に切替る。
【００７５】
従って、携帯情報端末１０がテレビ３０に送信し、テレビ３０に表示させる広告は、広告の途中で表示（再生）が終わらず、つまり、チャンネル切替に併せて表示途中に切り替えられることがなく、最後まで表示される。つまり、上記広告が最後まで表示されることによって得られると広告制作者が想定している広告効果を得ることができる可能性を高くすることができる。
【００７６】
また、ユーザがテレビ３０に対しチャンネル切替等のユーザ操作を行うタイミングは、ユーザがテレビ３０の画面に注目しており、テレビ３０に表示される広告がユーザの視野に入りやすく、高い広告効果を発揮することができる。
【００７７】
なお、携帯情報端末１０の有する、上記のリモコン操作機能（ユーザ操作に応じた操作信号をテレビ３０に送信し、該ユーザ操作に応じた処理をテレビ３０に実行させる機能）、および広告表示制御機能（広告配信サーバ２０から取得した広告をテレビ３０に送信し、表示させる機能）以外の機能の一例についても、概要を以下に説明しておく。
【００７８】
（携帯情報端末のその他の機能の一例）
詳細は後述するが、携帯情報端末１０は、図示しないサーバ装置から放送チャンネルを選局するための指標情報を取得し、取得された指標情報に基づいて、選局可能な複数の放送チャンネルについて、指標を各放送チャンネルに関連付けて、表示部１７０に表示する。該機能を実施した携帯情報端末１０の表示部１７０に表示される画面については、図５を用いて後述する。
【００７９】
「放送チャンネルを選局するための指標情報」とは、各放送チャンネルにおいて現在放送中の各テレビ番組の視聴に関する指標を示す情報であり、各テレビ番組の盛上りの度合いを、前記予め定める時間ごとに数値化して表した情報のことである。具体的には、具体的には、たとえば、ｔｗｉｔｔｅｒ（登録商標）などのミニブログサービスにおいて、現在放送中の各テレビ番組に関して投稿されているミニブログの数（以下、「投稿数」と称する）に基づいて算出される。
【００８０】
また、携帯情報端末１０は、上記のように、テレビ３０の操作機能を有するので、テレビ３０に付属の専用リモコンに持ち替えなくても、放送チャンネルを選局することができる。
【００８１】
従って、携帯情報端末１０は、放送チャンネルを選局するための指標をユーザに与えるとともに、テレビ３０に付属の専用リモコンに持ち替えなくても、放送チャンネルを選局することができる携帯情報端末である。
【００８２】
携帯情報端末１０はさらに、記憶部１８０に、図示しない選局操作履歴情報を記憶してもよい。選局操作履歴情報は、携帯情報端末１０を用いた選局操作の履歴情報であり、例えば、以下の情報を含んでいてもよい。すなわち、携帯情報端末１０に割り当てられているユーザ識別情報と、携帯情報端末１０を用いて選局操作が行われた日時、およびその選局操作によって選局された放送チャンネルのチャンネル番号が、選局操作履歴情報として、記憶部１８０に記憶されてもよい。
【００８３】
上記のように、携帯情報端末１０は、広告配信サーバ２０から取得した広告について、どのような画面サイズの画面に、その程度の期間、どのような情報と一緒に表示したかを含む情報を、表示結果情報として、広告配信サーバ２０に送信する。その際、携帯情報端末１０は、上記のような選局操作履歴情報を、表示結果情報と一緒に、広告配信サーバ２０に送信してもよい。
【００８４】
選局操作履歴に基づいてユーザの嗜好を推定し、ユーザの嗜好と上記表示結果情報とに基づいて、広告効果の向上に向けた研究を進めるとともに、ユーザの嗜好により合致した広告を、ユーザに提供することができるようになる。
【００８５】
（連携状態前と連携状態後の画面）
図４は、携帯情報端末１０とテレビ３０との連携状態の前後における、携帯情報端末１０とテレビ３０とに表示される画面を示す図である。
【００８６】
図４の（ａ）は、携帯情報端末１０とテレビ３０とが連携していない状態を示している。携帯情報端末１０とテレビ３０とが連携していない時、携帯情報端末１０の表示部１７０に表示される内容をテレビ３０は表示しておらず、テレビ３０は、例えば、放送局から放送されるテレビ番組のみを表示する。一方、携帯情報端末１０の表示部１７０には、連携ボタンアイコンが表示されており、ユーザによって、該連携ボタンアイコンが押下（タッチ）されたことが検出されると、携帯情報端末１０とテレビ３０とは、図４の（ｂ）に例示する連携状態に遷移する。
【００８７】
図４の（ｂ）は、携帯情報端末１０とテレビ３０とが連携している状態を示している。
【００８８】
連携状態において、テレビ３０には、例えば、放送局から放送されるテレビ番組Ｐｇ１と一緒に、携帯情報端末１０の表示部１７０に表示されている内容と同じ内容が表示される。図４の（ｂ）において、テレビ３０の画面には、携帯情報端末１０の表示部１７０に表示されている画面と同じ画面が右側に、携帯情報端末１０以外から取得したコンテンツが、つまりテレビ番組Ｐｇ１が、左側に表示している。
【００８９】
携帯情報端末１０の表示部１７０には、広告Ａ９と、広告以外の携帯情報端末１０の保有するデータ（アプリＡｐ１）とが表示される。なお、連携状態における、携帯情報端末１０の表示部１７０に表示される内容について、詳細は、図５を用いて後述する。
【００９０】
連携状態において携帯情報端末１０は、テレビ３０に対するリモコン操作機能と、広告表示制御機能とを備える。
【００９１】
なお、上記の説明では、携帯情報端末１０とテレビ３０との連携開始直後に、携帯情報端末１０（の表示部１７０）およびテレビ３０に表示される広告は、「連携ボタン」に対応付けられた広告Ａ９であるとした。しかし、携帯情報端末１０とテレビ３０との連携開始直後に、携帯情報端末１０（の表示部１７０）およびテレビ３０に表示される広告は、これに限られるものではなく、例えば、以下のような広告であってもよい。すなわち、携帯情報端末１０は、いずれの操作ボタン（ユーザ操作）とも対応付けられていない広告として、例えば携帯情報端末１０を製造したメーカの広告（自社広告）を記憶しておき、「連携ボタン」が押下され、携帯情報端末１０とテレビ３０とが連携を開始する時点において、該自社広告を、携帯情報端末１０（の表示部１７０）およびテレビ３０に表示させるとしてもよい。また、携帯情報端末１０は、テレビ３０との連携を開始する時点においてテレビ３０に表示されている番組・チャンネルをテレビ３０から取得し、該番組・チャンネルに対応する操作ボタンに対応付けられた広告を、連携開始時点で、携帯情報端末１０（の表示部１７０）およびテレビ３０に表示させるとしてもよい。例えば、連携開始の直前において、４チャンネルで放送中の番組が、テレビ３０に表示されていた場合、携帯情報端末１０は、「４ｃｈ」に対応する広告（図３に例示する広告情報１８１に即して言えば、広告Ａ１）を、連携開始時点で、携帯情報端末１０（の表示部１７０）およびテレビ３０に表示させるとしてもよい。
【００９２】
（携帯情報端末の表示画面）
図５は、携帯情報端末１０の画面例を、つまり表示部１７０に表示される情報の一例を示す図である。図５に示される画面例は、携帯情報端末１０とテレビ３０とが連携している状態において、表示部１７０に表示される画面の例である。
【００９３】
図５に示すように、表示部１７０は、広告が表示される上部領域１７０ａと、広告以外の携帯情報端末１０の保有するデータが表示される中央領域１７０ｂとを含む。中央領域１７０ｂはさらに、中央左領域１７０ｂ１、中央右上領域１７０ｂ２および中央右下領域１７０ｂ３の３つの領域を含む。
【００９４】
上部領域１７０ａは、広告配信サーバ２０から受信し、記憶部１８０に格納された広告が表示される広告表示領域である。具体的には、広告選択部１１４が広告情報１８１を参照して、入力受付部１１２によって検出されたユーザ操作に対応付けられた広告を選択し、該広告が広告選択部１１４から表示制御部１１５に送信される。表示制御部１１５は、広告選択部１１４から上記広告を受信し、上記広告を上部領域１７０ａに表示させる。
【００９５】
中央左領域１７０ｂ１は、選局用タッチエリアである。具体的には、中央左領域１７０ｂ１には、画面の縦方向に沿って、チャンネルスロットごとに、チャンネルアイコンとともに指標アイコンが表示される。チャンネルアイコンへのユーザによるタッチ入力が入力受付部１１２によって検出されると、操作信号生成部１１３は、タッチ入力されたチャンネルアイコンに対応する放送チャンネルを選局するためのコマンド信号（操作信号）を生成し、第３通信部１４０を介して、該コマンド信号をテレビ３０に送信する。上記コマンド信号を受信したテレビ３０は、タッチ入力された中央左領域１７０ｂ１のチャンネルアイコンに対応する放送チャンネルの番組を表示する。なお、図では示していないが、中央左領域１７０ｂ１には、音量調整用アイコン等、チャンネルの選局以外の、テレビ３０に対するユーザ操作を受け付けるアイコンがさらに表示されてもよい。ユーザは、これらの、音量調整用アイコン等のテレビ３０に対する操作用アイコンにタッチすることによって、テレビ３０を操作することができ、つまり、携帯情報端末１０を、テレビ３０に付属の専用リモコンと同様に用いて、テレビ３０を操作することができる。
【００９６】
また、中央左領域１７０ｂ１において、ユーザによって選局された「ヤポンテレビ」に対応するチャンネルスロットのチャンネルアイコンにのみ、選局されたことを識別するための選局アイコンが重ねて表示される。図に即して言えば、「ヤポンテレビ」に対応するチャンネルアイコン「４」にのみ、選局アイコン「Ｏｎ」が重ねて表示されている。
【００９７】
なお、中央左領域１７０ｂ１においてチャンネルアイコンごとに表示される指標アイコンは、各放送チャンネルにおいて現在放送中の各テレビ番組の盛上りの度合いを、所定の時間ごとに数値化して示すものである。指標アイコンは、例えば図に示すように、棒グラフ形式によって、各テレビ番組に関して投稿されているミニブログの数を示してもよい。ユーザは、指標アイコンを確認することによって、各テレビ番組の盛上りの度合いを知ることができ、放送チャンネルを選局するための指標を得ることができる。
【００９８】
中央右上領域１７０ｂ２には、タッチ入力によって選択された放送局名、その放送局において現在放送中のテレビ番組の番組タイトルが表示される。具体的には、テレビ３０には現在、「ヤポンテレビ」（４チャンネル）で放送中の「野球『巨神Ｖｓ広日』」が表示されていることが、中央右上領域１７０ｂ２に示されている。
【００９９】
中央右下領域１７０ｂ３には、タッチ入力によって選択された放送局（ヤポンテレビ）において現在放送中のテレビ番組（野球「巨神Ｖｓ広日」）に関するミニブログ（たとえば、ｔｗｉｔｔｅｒ（登録商標）など）の内容、そのミニブログを投稿した投稿者のユーザ名、およびそのミニブログが投稿された日時等が表示される。
【０１００】
中央左領域１７０ｂ１のチャンネルアイコンに対してタッチ入力が行われたことを入力受付部１１２が検出すると、操作信号生成部１１３は、赤外線通信およびＩＥＥＥ８０２．１１による無線通信のいずれの方法で無線信号を送信するように設定されているかを判定し、タッチ入力されたチャンネルアイコンに対応する放送チャンネルを選局するためのコマンド信号（操作信号）を生成する。そして、生成した操作信号を含む無線信号を、第３通信部１４０を介してテレビ３０に送信する。第３通信部１４０から出力された無線信号がテレビ３０に受信されると、テレビ３０では、ユーザによるタッチ入力によって選局された放送チャンネルで放送中のテレビ番組が表示される。
【０１０１】
なお、以上に説明した表示部１７０に表示される画面のうち、広告以外のコンテンツが表示される領域（中央領域１７０ｂ）は、表示制御部１１５が、記憶部１８０に格納されているテレビ制御用アプリ１８３に基づいて、表示部１７０に表示させる。表示制御部１１５は、表示部１７０に表示させる画面と同じ内容の画面をテレビ３０にも表示させる。
【０１０２】
このように、ユーザは、表示部１７０に表示される各テレビ番組の指標アイコンを確認しながら、表示部１７０に表示される選局用タッチエリアに対してタッチ入力することで、所望の放送チャンネルを選局することができる。すなわち、ユーザは、携帯情報端末１０を所持するだけで、各テレビ番組の盛上りの度合いを確認しつつ、所望の放送チャンネルを選局することができる。したがって、選局操作のために携帯情報端末１０からテレビ３０に付属の専用リモコンに持ち替えるという煩わしい動作を省略することができる。
【０１０３】
（処理の概要）
図６は、携帯情報端末１０の処理の流れを示すフローチャートである。
【０１０４】
携帯情報端末１０とテレビ３０とが連携している状態において、入力受付部１１２によって操作部１５０等へのユーザ操作が検出される（Ｓ１０）と、携帯情報端末１０は、下記に示すリモコン制御処理と広告表示制御処理とを実行する。なお、携帯情報端末１０とテレビ３０とが連携している状態とは、表示制御部１１５が、表示部１７０に表示させる画面（情報）と同じ情報をテレビ３０に表示させ、かつ、表示部１７０に表示させる画面と、テレビ３０に表示させる画面との同期をとっている状態である。
【０１０５】
リモコン制御処理とは、操作信号生成部１１３が、入力受付部１１２によって検出されたユーザ操作に対応する操作信号を生成し（Ｓ２１）、該操作信号をテレビ３０に送信して（Ｓ２２）、該ユーザ操作に応じた処理をテレビ３０に実行させる処理である。
【０１０６】
広告表示制御処理とは、表示部１７０に表示させる広告と、テレビ３０に表示させる広告とを、以下に示すように制御する処理である。
【０１０７】
まず、広告選択部１１４は、広告情報１８１を参照して、入力受付部１１２によって検出されたユーザ操作に対応付けて格納されている広告を取得し（Ｓ１１）、該広告を表示制御部１１５に送信する。
【０１０８】
表示制御部１１５は、テレビ３０（および表示部１７０）に現時点で表示させている広告の表示状況を取得し、つまり、該広告は最後まで表示された状態であるのか、または途中までしか表示されていない状態であるのか、を取得する（Ｓ１２）。
【０１０９】
表示制御部１１５は、テレビ３０（および表示部１７０）に現時点で表示させている広告を、未だ最後まで表示させていない、つまり、広告の途中までしか表示させていない、と判定すると（Ｓ１３でＮｏ）、該広告を、最後までテレビ３０に表示させる。
【０１１０】
表示制御部１１５は、テレビ３０（および表示部１７０）に現時点で表示させている広告を最後まで表示させると（Ｓ１３でＹｅｓ）、Ｓ１２で広告選択部１１４から受信した広告を、テレビ３０に送信し、テレビ３０に該広告を表示させる（Ｓ１４）。また、表示制御部１１５は、Ｓ１２で広告選択部１１４から受信した広告を、表示部１７０に表示させる。なお、例えば、広告開始から広告終了までに１５秒間という表示時間が予め設定されている広告について、表示を開始させてから７秒間しか経過していない場合、表示制御部１１５は、該広告の表示状況について、「途中までしか表示していない」と判定する。一方、「最後まで表示させた」とは、広告について、各広告に予め設定されている表示時間（例えば１５秒間）、テレビ３０（および表示部１７０）に表示させたことを指す。
【０１１１】
従って、携帯情報端末１０においてユーザ操作が検出された時点でテレビ３０（および表示部１７０）に表示されていた広告が最後まで表示されてから、該ユーザ操作に対応付けられている広告が、テレビ３０（および表示部１７０）に表示される。図４を用いて説明したように、連携状態において、表示制御部１１５は、表示部１７０に表示させている画面（情報）と同じ画面（情報）を、テレビ３０（の右側）に表示させる。つまり、テレビ３０に現時点で表示させている広告を最後まで表示させる場合、表示制御部１１５は、表示部１７０に現時点で表示させている広告を最後まで表示させる。従って、表示部１７０においても、ユーザ操作が検出された時点において表示されていた広告が最後まで表示されてから、該ユーザ操作に対応付けられている広告が、表示される。
【０１１２】
なお、上記では、表示制御部１１５は、テレビ３０（および表示部１７０）に表示させている広告について、表示途中であるのか、それとも、最後まで表示させ終えたのかを、広告の表示開始から現時点までの表示時間と、該広告に予め設定されている表示時間とを比べることによって、判定した。しかし、広告について、表示途中であるのか、それとも、最後まで表示させ終えたのかの判定方法はこれに限られるものではなく、例えば以下のようなものであってもよい。すなわち、広告の最後を示す信号を、予め広告のデータの最後に埋め込んでおき、表示制御部１１５は、該信号を読込む（再生する）と、該広告について、広告の最後まで表示させ終わったと判定するとしてもよい。
【０１１３】
（携帯情報端末と外部表示装置とにおける画面遷移図）
図７は、図６の処理の流れに従う、携帯情報端末１０およびテレビ３０の画面遷移図である。最初に図７の概要を説明しておくと、以下の通りである。すなわち、図７は、携帯情報端末１０がテレビ３０に広告Ａ４を表示させている途中に、テレビ３０に表示されているチャンネルを８チャンネルから１２チャンネルに切り替えるユーザ操作が、リモコン操作装置としての携帯情報端末１０になされた場合の、携帯情報端末１０およびテレビ３０の画面遷移図である。
【０１１４】
図７の（ａ）は、携帯情報端末１０とテレビ３０とが連携している状態であって、かつ、テレビ３０には「８チャンネル」で放送中の番組が表示されている状態を示している。携帯情報端末１０とテレビ３０とは連携しているため、携帯情報端末１０の表示部１７０に表示されている画面と同じ画面が、テレビ３０の画面の右側に表示されている。なお、表示部１７０とテレビ３０とにおいて表示されている広告Ａ４は、図３に例示した広告情報１８１に示すように、「８チャンネル」に対応付けられて記憶されている広告である。
【０１１５】
図７の（ａ）に示す状況において、表示部１７０に表示された「１２チャンネル」のチャンネルボタンが押下（タッチ）されると、携帯情報端末１０およびテレビ３０に表示される画面は、図７の（ｂ）に示すようなものとなる。
【０１１６】
すなわち、１２チャンネルのチャンネルボタンへの押下が入力受付部１１２によって検出されると、操作信号生成部１１３は、テレビ３０に、１２チャンネルで放送中の番組を表示させる操作信号を送信する。上記操作信号を受信すると、テレビ３０は、８チャンネルで放送中の番組から、１２チャンネルで放送中の番組へと、表示を切り替える。つまり、携帯情報端末１０は、テレビ３０に対するリモコン操作装置としての機能を実行し、テレビ３０において、携帯情報端末１０以外から取得したコンテンツの表示（再生）については、リモコン操作装置としての携帯情報端末１０に対してなされたユーザ操作に応じた処理が実行される。
【０１１７】
一方、広告Ａ４が表示途中であって、広告の最後まで表示し終わっていない場合、表示制御部１１５は、表示部１７０およびテレビ３０に、広告Ａ４を最後まで表示させる。すなわち、携帯情報端末１０は、携帯情報端末１０からテレビ３０に送信し、テレビ３０に表示させているコンテンツ（広告）の表示（再生）を制御する。
【０１１８】
図７の（ｂ）には、表示部１７０に表示された「１２チャンネル」のチャンネルボタンが押下されることによって、テレビ３０の画面に表示されるチャンネルが「８チャンネル」から「１２チャンネル」に切り替わっている一方、テレビ３０および携帯情報端末１０の表示部１７０に表示される広告は、Ａ４のままである状況が示されている。
【０１１９】
なお、図７の（ｂ）に示す状況において、入力受付部１１２によって、１２チャンネルのチャンネルボタンへの押下が検出されると、広告選択部１１４は、広告情報１８１を参照して、「１２チャンネル」に対応付けられている広告を、取得する。図３に例示する広告情報１８１においては、操作ボタン「１２ｃｈ（チャンネル）」には、広告ＩＤがＡ６の広告が対応付けられて格納されている。従って、広告選択部１１４は、表示制御部１１５に、広告ＩＤがＡ６の広告を送信する。
【０１２０】
図７の（ｂ）に示す状況において、表示制御部１１５が、表示部１７０およびテレビ３０に、広告Ａ４を最後まで表示し終えると、携帯情報端末１０およびテレビ３０に表示される画面は、図７の（ｃ）に示すようなものとなる。
【０１２１】
すなわち、表示制御部１１５は、図７の（ｂ）に示す状況において広告選択部１１４から送信された、広告ＩＤがＡ６の広告（操作ボタン「１２ｃｈ（チャンネル）」に対応付けられた広告）を、表示部１７０およびテレビ３０に、表示させる。
【０１２２】
図７の（ｃ）には、テレビ３０の画面の左側には「１２チャンネル」で放送中の番組が表示され、テレビ３０の画面の右側および携帯情報端末１０の表示部１７０には、広告Ａ６が表示されている状況が示されている。
【０１２３】
ここで、図１０に例示する広告情報１８１のように、ユーザ操作に複数の広告が対応付けられている場合に、携帯情報端末１０が実行する処理について、概要を説明しておく。
【０１２４】
例えば、「８ｃｈ」ボタンに、Ａ８ｄ１、Ａ８ｄ２、Ａ８ｄ３、Ａ８ｄ４、Ａ８ｄ５の５つの広告が対応付けられて、記憶部１８０に広告情報１８１として格納されていたとする。そして、テレビ３０に表示されているチャンネルが８チャンネルのままで、チャンネル切替・音量調整等のユーザ操作を受け付けなければ、表示制御部１１５は、上記５つの広告を、下記の順番で、テレビ３０（および表示部１７０）に表示させるとする。すなわち、「まずＡ８ｄ１を、次にＡ８ｄ２を、さらにＡ８ｄ３を表示させ、Ａ８ｄ３を最後まで表示させ終えるとＡ８ｄ４を表示し、最後にＡ８ｄ５を表示させる」という順で、上記５つの広告を、テレビ３０（および表示部１７０）に表示させるとする。
【０１２５】
同様に、「１２ｃｈ」ボタンに、Ａ１２ｄ１、Ａ１２ｄ２、Ａ１２ｄ３、Ａ１２ｄ４、Ａ１２ｄ５の５つの広告が対応付けられて、記憶部１８０に広告情報１８１として格納されていたとする。そして、テレビ３０に表示されているチャンネルが１２チャンネルのままで、チャンネル切替・音量調整等のユーザ操作を受け付けなければ、表示制御部１１５は、上記５つの広告を、下記の順番で、テレビ３０（および表示部１７０）に表示させるとする。すなわち、「まずＡ１２ｄ１を、次にＡ１２ｄ２を、さらにＡ１２ｄ３を表示させ、Ａ１２ｄ３を最後まで表示させ終えるとＡ１２ｄ４を表示し、最後にＡ１２ｄ５を表示させる」という順で、上記５つの広告を、テレビ３０（および表示部１７０）に表示させるとする。
【０１２６】
そして、現時点では、テレビ３０の、図２に示す画面の左側（携帯情報端末１０以外から取得したコンテンツが表示される領域）には、「８チャンネル」で放送中の番組が表示されており、画面の左側（携帯情報端末１０から取得した広告等が表示される領域）には、広告Ａ８ｄ２が表示途中であるとする。
【０１２７】
以上に説明した状況において、つまり、テレビ３０において広告Ａ８ｄ２が表示途中である状況において、ユーザによって、「１２ｃｈ」ボタンが押下されたことを入力受付部１１２が検出すると、表示制御部１１５は、以下の処理を実行させる。すなわち、広告Ａ８ｄ２を最後まで表示させ終えてから、Ａ１２ｄ１を、テレビ３０（および表示部１７０）に表示させる。なお、例えば３時間前にも既に一度「１２ｃｈ」ボタンが押下され、Ａ１２ｄ１とＡ１２ｄ２はテレビ３０（および表示部１７０）に表示させていた場合、表示制御部１１５は、広告Ａ８ｄ２を最後まで表示させ終えてから、Ａ１２ｄ３を、テレビ３０（および表示部１７０）に表示させてもよい。
【０１２８】
以上のように、携帯情報端末１０は、ユーザの選局等のリモコン操作に応じて、テレビ３０（および表示部１７０）に表示させる広告を、現在表示させている広告から、該リモコン操作に対応付けられた広告へと、切り替える。ただし、表示させる広告を切り替えるタイミングは、上記リモコン操作を受け付けた時点ではなく、現在表示させている広告を最後まで表示させ終えたタイミングである。従って、携帯情報端末１０からテレビ３０に送信され、テレビ３０に表示される広告は、ユーザによってチャンネルが切り替えられたとしても、最後まで表示される。
【０１２９】
つまり、携帯情報端末１０は、テレビ３０の画面（表示部）に表示されるコンテンツ（例えばテレビ放送）に対するユーザの操作を受け付けると、テレビ３０の画面（表示部）に表示される広告を、該操作に対応付けられた広告に切り替えさせる。
【０１３０】
（広告内容について）
上記のように、広告取得部１１１が広告配信サーバ２０から受信し、記憶部１８０に格納した広告は、表示制御部１１５によって、表示部１７０（特に、広告表示領域である上部領域１７０ａ）に表示される。
【０１３１】
ここで、表示部１７０に表示される広告は、以下のようなものであることが好ましい。すなわち、例えば、テレビ３０で現在表示されている商品・店舗に関する広告、テレビ３０で現在表示されているテレビ番組に関連する商品（たとえば、テレビ番組がドラマ・映画の場合には、原作本・サウンドトラックなど）に関する広告、およびテレビ番組において出演者が身に着けていた商品に関する広告であることが好ましい。また、表示部１７０に表示される広告の広告主と、テレビ３０で現在表示されているテレビ番組に含まれるテレビコマーシャルの広告主とが同一であり、当該広告の広告対象（商品・サービス）と当該テレビコマーシャルの広告対象とが同一または類似し、当該広告の広告対象が当該テレビ番組の内容から想起可能である（当該テレビ番組の内容が当該広告の広告対象に関連している）ように、広告とテレビ番組とが対応付けられていることが好ましい。
【０１３２】
広告配信サーバ２０から携帯情報端末１０によって取得された広告は、上記のように、携帯情報端末１０の表示部１７０に表示されるだけでなく、テレビ３０においても表示される。つまり、表示部１７０に表示される広告は、テレビ３０に表示される広告でもある。従って、表示部１７０に表示される広告は、テレビ３０において、該広告と一緒に表示される、携帯情報端末１０以外から取得されたコンテンツ（例えば、テレビ３０が放送波を受信して表示しているテレビ番組）と対応付けられていることが好ましい。表示部１７０に表示される広告と、テレビ３０において、該広告と一緒に表示されるテレビ番組とが対応付けられていることによって、該広告の広告効果が向上する。
【０１３３】
また、表示部１７０に表示される広告は、携帯情報端末１０のユーザの特性に基づいて選択されてもよい。すなわち、携帯情報端末１０の有する情報であって、携帯情報端末１０のユーザの特性を推定することができる情報として利用可能な情報に基づいて、広告配信サーバ２０から取得した広告のうち、ユーザの特性に対応する広告を、表示部１７０に表示してもよい。例えば、ウェブブラウザ１８４から、携帯情報端末１０のユーザのウェブ閲覧履歴を取得し、利用することができる場合には、該閲覧履歴に基づいて、該ユーザが関心を持っている可能性の高い商品・サービスに係る広告を、表示部１７０に表示させることができる。
【０１３４】
さらに、表示部１７０に表示される広告は、携帯情報端末１０によるテレビ３０に対する操作履歴、つまり、放送局・番組名・ジャンル等に係る携帯情報端末１０のユーザの嗜好に基づいて選択されてもよい。
【０１３５】
（広告の表示結果情報の送信）
上記のように、携帯情報端末１０は、広告配信サーバ２０から広告を受信する一方で、広告配信サーバ２０から受信した広告をテレビ３０に表示させた回数等の表示結果情報１８２を、広告配信サーバ２０に送信してもよい。例えば、表示制御部１１５は、テレビ３０に広告を送信し、該広告を表示させると、該広告をテレビ３０に最後まで表示させた都度、テレビ３０に該広告を表示させたという結果を、表示結果情報１８２に格納する。そして、携帯情報端末１０は、所定のタイミングで、表示結果情報１８２を、第１通信部１２０を介して、広告配信サーバ２０に送信するとしてもよい。なお、上記所定のタイミングとは、例えば、表示制御部１１５によって、表示結果情報１８２によってデータが格納（更新）されたタイミング、つまり、広告の表示回数が増加したタイミングであってもよい。また、携帯情報端末１０は、１日１回、２４時になると、表示結果情報１８２を広告配信サーバ２０に送信するとしてもよい。
【０１３６】
〔実施形態２〕
以下では、携帯情報端末１０において、上記の第１の実施の形態で説明したのとは別のユーザ操作（図７）を受け付けた場合に、実行される処理について説明する。なお、記載の簡潔性を担保するため、第１の実施の形態とは異なる構成（処理の手順及び処理の内容）のみについて説明する。すなわち、第１の実施の形態で記載された構成等は、本実施の形態にもすべて含まれ得る。また、第１の実施の形態で記載した用語の定義も同じである。
【０１３７】
上記の第１の実施の形態では、携帯情報端末１０がテレビ３０に広告を表示させている途中で、テレビ３０に表示されているチャンネルを切り替えるユーザ操作（図７）が、リモコン操作装置としての携帯情報端末１０になされた場合の、携帯情報端末１０の処理を説明した。これに対し、以下では、携帯情報端末１０がテレビ３０に広告を表示させている途中で、テレビ３０の音量を下げるユーザ操作が、リモコン操作装置としての携帯情報端末１０になされた場合の、携帯情報端末１０の処理を説明する。
【０１３８】
図８は、本実施形態における携帯情報端末１０およびテレビ３０の画面遷移図である。
【０１３９】
図８の（ａ）は、携帯情報端末１０とテレビ３０とが連携している状態であって、かつ、テレビ３０には「８チャンネル」で放送中の番組が表示されている状態を示している。携帯情報端末１０とテレビ３０とは連携しているため、携帯情報端末１０の表示部１７０に表示されている画面と同じ画面が、テレビ３０の画面の右側に表示されている。なお、表示部１７０とテレビ３０とにおいて表示されている広告Ａ４は、図３に例示した広告情報１８１に示すように、「８チャンネル」に対応付けられて記憶されている広告である。
【０１４０】
図８の（ａ）に示す状況において、表示部１７０に表示された「音量ＤＯＷＮ」ボタンが押下されると、携帯情報端末１０およびテレビ３０に表示される画面は、図８の（ｂ）に示すようなものとなる。
【０１４１】
すなわち、「音量ＤＯＷＮ」ボタンへの押下が入力受付部１１２によって検出されると、操作信号生成部１１３は、テレビ３０に、テレビ３０の音量を下げる操作信号を送信する。そして、上記操作信号を受信すると、テレビ３０は、音量を下げる。一方、広告Ａ４が表示途中であって、広告の最後まで表示し終わっていない場合、表示制御部１１５は、表示部１７０およびテレビ３０に、広告Ａ４を最後まで表示させる。
【０１４２】
図８の（ｂ）には、表示部１７０に表示された「音量ＤＯＷＮ」ボタンが押下されることによって、テレビ３０の音量が下がる一方、テレビ３０および携帯情報端末１０の表示部１７０に表示される広告は、Ａ４のままである状況が示されている。なお、図８の（ｂ）に示す状況において、入力受付部１１２によって、「音量ＤＯＷＮ」ボタンへの押下が検出されると、広告選択部１１４は、広告情報１８１を参照して、「音量ＤＯＷＮ」に対応付けられている広告を、取得する。図３に例示する広告情報１８１においては、操作ボタン「音量ＤＯＷＮ」には、広告ＩＤがＡ８の広告が対応付けられて格納されている。従って、広告選択部１１４は、表示制御部１１５に、広告ＩＤがＡ８の広告を送信する。図８の（ｂ）に示す状況において、表示制御部１１５が、表示部１７０およびテレビ３０に、広告Ａ４を最後まで表示し終えると、携帯情報端末１０およびテレビ３０に表示される画面は、図８の（ｃ）に示すようなものとなる。
【０１４３】
すなわち、表示制御部１１５は、図８の（ｂ）に示す状況において広告選択部１１４から送信された、広告ＩＤがＡ８の広告（操作ボタン「音量ＤＯＷＮ」に対応付けられた広告）を、表示部１７０およびテレビ３０に、表示させる。
【０１４４】
図８の（ｃ）には、テレビ３０の画面の左側には「８チャンネル」で放送中の番組が、音量を下げられて表示（再生）され、テレビ３０の画面の右側および携帯情報端末１０の表示部１７０には、広告Ａ８が表示されている状況が示されている。
【０１４５】
ここで、図１０に例示する広告情報１８１のように、ユーザ操作に複数の広告が対応付けられている場合に、携帯情報端末１０が実行する処理について、概要を説明しておく。
【０１４６】
例えば、「８ｃｈ」ボタンに、Ａ８ｄ１、Ａ８ｄ２、Ａ８ｄ３、Ａ８ｄ４、Ａ８ｄ５の５つの広告が対応付けられて、記憶部１８０に広告情報１８１として格納されていたとする。そして、テレビ３０に表示されているチャンネルが８チャンネルのままで、チャンネル切替・音量調整等のユーザ操作を受け付けなければ、表示制御部１１５は、上記５つの広告を、下記の順番で、テレビ３０（および表示部１７０）に表示させるとする。すなわち、「まずＡ８ｄ１を、次にＡ８ｄ２を、さらにＡ８ｄ３を表示させ、Ａ８ｄ３を最後まで表示させ終えるとＡ８ｄ４を表示し、最後にＡ８ｄ５を表示させる」という順で、上記５つの広告を、テレビ３０（および表示部１７０）に表示させるとする。
【０１４７】
そして、現時点では、テレビ３０の、図２に示す画面の左側（携帯情報端末１０以外から取得したコンテンツが表示される領域）には、「８チャンネル」で放送中の番組が表示されており、画面の左側（携帯情報端末１０から取得した広告等が表示される領域）には、広告Ａ８ｄ２が表示途中であるとする。
【０１４８】
以上に説明した状況において、つまり、テレビ３０において広告Ａ８ｄ２が表示途中である状況において、ユーザによって、「音量ＤＯＷＮ」ボタンが押下されたことを入力受付部１１２が検出すると、表示制御部１１５は、以下の処理を実行させる。すなわち、広告Ａ８ｄ２を最後まで表示させ終えてから、「音量ＤＯＷＮ」ボタンに対応する広告（例えば、図３の広告情報１８１における広告ＩＤがＡ８の広告）を、テレビ３０（および表示部１７０）に表示させる。すなわち、「音量ＤＯＷＮ」ボタンが押下されなければ、つまり、ユーザ操作がなければ、広告Ａ８ｄ２の広告が最後まで表示された後にテレビ３０に表示される広告は、広告Ａ８ｄ３であった。しかし、「音量ＤＯＷＮ」ボタンが押下されたことにより、広告Ａ８ｄ２の広告が最後まで表示された後にテレビ３０に表示される広告は、「音量ＤＯＷＮ」ボタンに対応する広告となった。なお、「音量ＤＯＷＮ」ボタンに対応する広告が最後まで表示された後、テレビ３０には、広告Ａ８ｄ３が、表示制御部１１５によって表示される。
【０１４９】
〔実施形態３〕
本実施の形態の携帯情報端末１０は、上記の第１の実施の形態または第２の実施の形態で説明した処理、特に図６を用いて説明した処理とは別の処理を実行する。なお、記載の簡潔性を担保するため、これまでに説明した第１の実施の形態または第２の実施の形態とは異なる構成（処理の手順及び処理の内容）のみについて説明する。すなわち、これまでに説明した各実施の形態で記載された構成等は、本実施の形態にもすべて含まれ得る。また、第１の実施の形態で記載した用語の定義も同じである。
【０１５０】
上記の第１の実施の形態における携帯情報端末１０と、本実施の形態における携帯情報端末１０とは、テレビ３０（および表示部１７０）に広告を表示させている途中で、ユーザによるテレビ３０に対するリモコン操作を受け付けた場合の、処理の内容が異なる。
【０１５１】
すなわち、第１の実施の形態（特に図６）では、携帯情報端末１０がテレビ３０に広告を表示させている途中でユーザ操作を受け付けると、表示制御部１１５は、該広告表表示させ終えてから、ユーザ操作に対応付けられている広告をテレビ３０に表示させた（図６のＳ１３およびＳ１４）。
【０１５２】
これに対し、本実施の形態において携帯情報端末１０は、携帯情報端末１０がテレビ３０に広告を表示させている途中でユーザ操作を受け付けると、表示制御部１１５は、表示途中の広告の表示をいったん中止し、該ユーザ操作に対応付けられた広告をテレビ３０（および表示部１７０）に表示させる（Ｓ１３−ｂ）。そして、上記ユーザ操作に対応付けられた広告を最後まで表示させた後、表示制御部１１５は、上記「表示をいったん中止」させた広告を、すなわち、上記ユーザ操作を受け付けた時点で途中まで表示させていた広告を、最初から、または、「表示をいったん中止」させた位置の続きから、テレビ３０（および表示部１７０）に表示させる（Ｓ１４−ｂ）。
【０１５３】
すなわち、本実施の形態における携帯情報端末１０は、ユーザの選局などのリモコン操作に応じて、該リモコン操作を検出した時点で、テレビ３０（および表示部１７０）に表示させる広告を切り替える。以下、本実施の形態における携帯情報端末１０の処理によって、広告がテレビ３０（および表示部１７０）にどのように表示されるかを、図９を用いて説明する。
【０１５４】
図９は、本実施形態における携帯情報端末１０およびテレビ３０の画面遷移図である。
【０１５５】
図９の（ａ）は、携帯情報端末１０とテレビ３０とが連携している状態であって、かつ、テレビ３０には「８チャンネル」で放送中の番組が表示されている状態を示している。携帯情報端末１０とテレビ３０とは連携しているため、携帯情報端末１０の表示部１７０に表示されている画面と同じ画面が、テレビ３０の画面の右側に表示されている。なお、表示部１７０とテレビ３０とにおいて表示されている広告Ａ４は、図３に例示した広告情報１８１に示すように、「８チャンネル」に対応付けられて記憶されている広告である。図９の（ａ）に示す状況において、表示部１７０に表示された「音量ＵＰ」ボタンが押下されると、携帯情報端末１０およびテレビ３０に表示される画面は、図９の（ｂ）に示すようなものとなる。
【０１５６】
すなわち、「音量ＵＰ」ボタンへの押下が入力受付部１１２によって検出されると、操作信号生成部１１３は、テレビ３０に、テレビ３０の音量を上げる操作信号を送信する。そして、上記操作信号を受信すると、テレビ３０は音量を上げる。一方、広告Ａ４が表示途中であって、広告の最後まで表示し終わっていない場合、表示制御部１１５は、表示部１７０およびテレビ３０に、広告Ａ４を最後まで表示させる。
【０１５７】
図９の（ｂ）には、表示部１７０に表示された「音量ＵＰ」ボタンが押下されることによって、テレビ３０の音量が上がる一方、テレビ３０および携帯情報端末１０の表示部１７０に表示される広告は、Ａ４のままである状況が示されている。なお、図９の（ｂ）に示す状況において、入力受付部１１２によって、「音量ＵＰ」ボタンへの押下が検出されると、広告選択部１１４は、広告情報１８１を参照して、「音量ＵＰ」に対応付けられている広告を、取得する。図３に例示する広告情報１８１においては、操作ボタン「音量ＵＰ」には、広告ＩＤがＡ７の広告が対応付けられて格納されている。従って、広告選択部１１４は、表示制御部１１５に、広告ＩＤがＡ７の広告を送信する。図９の（ｂ）に示す状況において、表示制御部１１５が、表示部１７０およびテレビ３０に、広告Ａ４を最後まで表示し終えると、携帯情報端末１０およびテレビ３０に表示される画面は、図９の（ｃ）に示すようなものとなる。
【０１５８】
すなわち、表示制御部１１５は、図９の（ｂ）に示す状況において広告選択部１１４から送信された、広告ＩＤがＡ７の広告（操作ボタン「音量ＵＰ」に対応付けられた広告）を、表示部１７０およびテレビ３０に、表示させる。
【０１５９】
図９の（ｃ）には、テレビ３０の画面の左側には「８チャンネル」で放送中の番組が、音量を上げられて表示（再生）され、テレビ３０の画面の右側および携帯情報端末１０の表示部１７０には、広告Ａ７が表示されている状況が示されている。
【０１６０】
本実施の形態における携帯情報端末１０は、上記の第１の実施の形態または第２の実施の形態における携帯情報端末１０とは、以下の点で異なる。すなわち、上記の第１の実施の形態または第２の実施の形態における携帯情報端末１０は、各広告を最後まで再生（表示）させた後に、表示させる広告を切り替える。一方、本実施の形態における携帯情報端末１０は、他の広告の再生途中に、ユーザ操作に対応付けられた広告を割り込ませて、表示させることができる。
【０１６１】
ここで、図１０に例示する広告情報１８１のように、ユーザ操作に複数の広告が対応付けられている場合に、携帯情報端末１０が実行する処理について、概要を説明しておく。
【０１６２】
例えば、「８ｃｈ」ボタンに、Ａ８ｄ１、Ａ８ｄ２、Ａ８ｄ３、Ａ８ｄ４、Ａ８ｄ５の５つの広告が対応付けられて、記憶部１８０に広告情報１８１として格納されていたとする。そして、テレビ３０に表示されているチャンネルが８チャンネルのままで、チャンネル切替・音量調整等のユーザ操作を受け付けなければ、表示制御部１１５は、上記５つの広告を、下記の順番で、テレビ３０（および表示部１７０）に表示させるとする。すなわち、「まずＡ８ｄ１を、次にＡ８ｄ２を、さらにＡ８ｄ３を表示させ、Ａ８ｄ３を最後まで表示させ終えるとＡ８ｄ４を表示し、最後にＡ８ｄ５を表示させる」という順で、上記５つの広告を、テレビ３０（および表示部１７０）に表示させるとする。
【０１６３】
そして、現時点では、テレビ３０の、図２に示す画面の左側（携帯情報端末１０以外から取得したコンテンツが表示される領域）には、「８チャンネル」で放送中の番組が表示されており、画面の左側（携帯情報端末１０から取得した広告等が表示される領域）には、広告Ａ８ｄ２が表示途中であるとする。
【０１６４】
以上に説明した状況において、つまり、テレビ３０において広告Ａ８ｄ２が表示途中である状況において、ユーザによって、「音量ＵＰ」ボタンが押下されたことを入力受付部１１２が検出すると、表示制御部１１５は、以下の処理を実行させる。すなわち、広告Ａ８ｄ２の表示を途中で中止し、「音量ＵＰ」ボタンに対応する広告（例えば、図３の広告情報１８１における広告ＩＤがＡ７の広告）を、テレビ３０（および表示部１７０）に表示させる。そして、「音量ＵＰ」ボタンに対応する広告を、テレビ３０（および表示部１７０）に表示させる。そして、「音量ＵＰ」ボタンに対応する広告を最後まで表示させ終えると、表示制御部１１５は、先ほど途中で表示させるのを中止した広告Ａ８ｄ２を、表示（再生）を中止させた位置の続きから（または最初から）、テレビ３０（および表示部１７０）に表示させる。すなわち、「音量ＵＰ」ボタンが押下されなければ、つまり、ユーザ操作がなければ、広告Ａ８ｄ２の広告がテレビ３０に最後まで表示され、その後、広告Ａ８ｄ３がテレビ３０（および表示部１７０）に表示されるはずであった。しかし、「音量ＵＰ」ボタンが押下されたことにより、広告Ａ８ｄ２の広告は途中で表示を中止され、テレビ３０（および表示部１７０）には、「音量ＵＰ」ボタンに対応する広告が表示される。そして、「音量ＵＰ」ボタンに対応する広告が最後まで表示された後、先ほど途中まで表示された広告Ａ８ｄ２が、表示（再生）が中止された位置の続きから（または最初から）、テレビ３０（および表示部１７０）に表示させる。
【０１６５】
上記の第１の実施の形態または第２の実施の形態における携帯情報端末１０は、各広告を必ず最後まで再生（表示）させた後に、表示させる広告を切り替える。
【０１６６】
これに対し、本実施の形態における携帯情報端末１０は、以上のように、ユーザ操作を受け付けると、該ユーザ操作に対応付けられている広告を、テレビ３０（および表示部１７０）に現在表示させている他の広告の表示（再生）途中に割り込ませて、表示させることができる。しかも、表示（再生）を途中で中止された広告についても、上記ユーザ操作に対応付けられている広告を最後まで表示させ終えた後、表示（再生）が中止された位置の続きから（または最初から）、テレビ３０（および表示部１７０）に最後まで表示させる。従って、ユーザ操作に対応付けられた広告は、ユーザ操作が行われ、ユーザがテレビ３０の画面に注目指定可能性が高いタイミングで、テレビ３０に表示される。しかも、携帯情報端末１０がテレビ３０に表示させる広告は、各々、最後まで表示される。
【０１６７】
〔実施形態４〕
本実施の形態の携帯情報端末１０は、テレビ３０および携帯情報端末１０の表示部１７０に表示させる広告を切り替える際に、ユーザの操作ボタン操作の時間間隔を考慮する。
【０１６８】
すなわち、本実施の形態において、広告選択部１１４は、入力受付部１１２によって受け付けられた各ユーザ操作を、入力受付部１１２から取得するだけでなく、入力受付部１１２によって受け付けられた複数のユーザ操作の間の時間間隔を取得している。そして、入力受付部１１２によって検出された或るユーザ操作（ユーザ操作Ａ）と、その次のユーザ操作（ユーザ操作Ｂ）との時間間隔が予め設定された基準時間よりも短い場合には、該「或るユーザ操作」（ユーザ操作Ａ）に対応付けられた広告を、表示制御部１１５に送信しない。そして、上記「その次のユーザ操作」（ユーザ操作Ｂ）と、上記「その次のユーザ操作」（ユーザ操作Ｂ）のさらに次のユーザ操作（ユーザ操作Ｃ）との時間間隔が上記基準時間よりも長い場合に、広告選択部１１４は、広告情報１８１を参照して、上記「その次のユーザ操作」（ユーザ操作Ｂ）に対応付けられた広告を取得し、表示制御部１１５に送信する。従って、表示制御部１１５は、テレビ３０（および表示部１７０）に、該「或るユーザ操作」（ユーザ操作Ａ）に対応付けられた広告は表示させず、上記「その次のユーザ操作」（ユーザ操作Ｂ）に対応付けられた広告を表示させる。すなわち、本実施の形態の携帯情報端末１０は、上記基準時間よりも短い時間しか経過せずに別のユーザ操作（ユーザ操作Ｂ）がその後に検出されたユーザ操作（ユーザ操作Ａ）については、該ユーザ操作（ユーザ操作Ａ）に対応付けられている広告を表示させない。
【０１６９】
例えば、１２チャンネルで放送中の番組をテレビ３０において視聴中に、ユーザが８チャンネルにチャンネルを切り替えたが、直後に、６チャンネルに切り替えた場合、８チャンネルで放送中の番組のテレビ３０における表示時間が、基準時間 （例えば、１０秒といった閾値）以上の期間でなければ、８チャンネルに対応付けられた広告を表示しない。
【０１７０】
〔実施形態５〕
上記までの各実施の形態において、広告情報１８１は、図３および図１０を用いて説明したように、１つ１つのユーザ操作に、１以上の広告を対応付けていた。
【０１７１】
これに対し、本実施の形態の携帯情報端末１０の記憶部１８０に記憶されている広告情報１８１は、１つ１つのユーザ操作に、１以上の広告を対応付けているだけでなく、一定の時間内における連続する複数のユーザ操作に、１以上の広告を対応付けている。つまり、本実施の形態の携帯情報端末１０は、１つ１つのユーザ操作（操作ボタン）に対応付けられている広告を格納しているだけではなく、一連のユーザ操作（ボタン操作）に対応付けられている広告を格納している。
【０１７２】
例えば、本実施の形態の携帯情報端末１０は、一定時間（例えば３０秒以内）の間に３回以上、チャンネルボタンを押して選局した場合にのみ、表示させることのできる広告（広告Ａｄ１２３ｃ）を、記憶部１８０に、広告情報１８１として格納（記憶）している。
【０１７３】
広告選択部１１４は、入力受付部１１２によって受け付けられた各ユーザ操作を、入力受付部１１２から取得するだけでなく、入力受付部１１２によって受け付けられた複数のユーザ操作の間の時間間隔を取得している。広告選択部１１４は、入力受付部１１２によって検出されたチャンネルボタンへの押下が、上記一定時間の間に、３回以上あったと判定すると、広告情報１８１を参照して、広告Ａｄ１２３ｃを取得し、表示制御部１１５に送信する。表示制御部１１５は、広告選択部１１４から受信した広告Ａｄ１２３ｃを、テレビ３０（および表示部１７０）に、表示させる。
【０１７４】
〔実施形態６〕
上記までの各実施の形態においては、テレビ３０が携帯情報端末１０以外から取得（受信）し、テレビ３０に表示されているコンテンツは、放送局から放送されるテレビ番組であるとしてきた。そして、広告は、テレビ番組の表示に係るユーザ操作（例えば、チャンネル切替、音量調整）に対応付けられているとしてきた。
【０１７５】
これに対し、本実施の形態における携帯情報端末１０は、テレビ３０が携帯情報端末１０以外から取得（受信）し、テレビ３０に表示されている録画番組の表示に係るユーザ操作（例えば、再生、停止、一時停止、早送り、巻き戻し等）にも対応付けて、広告を管理（記憶）している。
【０１７６】
すなわち、本実施の形態における携帯情報端末１０は、テレビ３０が携帯情報端末１０以外から取得（受信）し、テレビ３０に表示されているコンテンツ全般（放送中のテレビ番組、および録画データ等）の表示（再生）に対するユーザ操作に対応付けられている広告を、広告情報１８１として記憶部１８０に記憶している。
【０１７７】
ユーザから、テレビ３０が携帯情報端末１０以外から取得（受信）し、テレビ３０に表示されているコンテンツ全般（放送中のテレビ番組、および録画データ等）の表示（再生）に対するユーザ操作を受け付けると、携帯情報端末１０は以下のように動作する。すなわち、上記ユーザ操作に対応する処理をテレビ３０に実行させ、また、広告情報１８１中に、上記ユーザ操作に対応付けられている広告を、テレビ３０（および表示部１７０）に表示させる。
【０１７８】
従って、リアルタイム視聴（つまり放送局によって放送中の番組の視聴）だけでなく、録画番組等の、放送中の番組以外のコンテンツを視聴中に、再生ボタン、一時停止ボタンなどを押下することにより、テレビ３０に表示させる広告を切り替えることができる。
【０１７９】
〔変形例〕
上記までの説明において、表示制御部１１５は、表示部１７０に表示させる画面と同じ内容を、テレビ３０に送信して、テレビ３０に表示させるとしてきた。しかし、表示制御部１１５は、表示部１７０に表示させる画面と全く同じ内容を、テレビ３０に送信して、テレビ３０に表示させなくてはならない訳ではない。表示制御部１１５は、携帯情報端末１０からテレビ３０に送信し、テレビ３０に表示させているコンテンツの表示状況を、つまり、該コンテンツを最後まで表示させ終わったのかまたは途中までしか表示させていないのかを、判定できればよい。
【０１８０】
さらに、連携状態において、携帯情報端末１０の表示部１７０に表示される広告と、テレビ３０に表示される広告とが、全く同一の内容であることは必須ではない。例えば、同じ商品・サービスに係る広告であって、該商品・サービスについての概要を示す携帯情報端末用広告が表示部１７０に表示され、該商品・サービスについての詳細情報を含む外部表示装置用広告がテレビ３０に表示されてもよい。その場合においても、上記携帯情報端末用広告と上記外部表示装置用広告とは、例えば１５秒間といった同じ時間的長さの広告であることが好ましい。
【０１８１】
また、上記までの説明において、テレビ３０は、チャンネル切替・音量調整等のユーザ操作を、リモコン操作装置を介して取得するとした。しかしながら、テレビ３０が、ユーザ操作をリモコン操作装置を介して取得（受信）することは必須ではなく、ユーザ操作を直接受け付けてもよい。なお、その場合には、以上に説明してきた携帯情報端末１０の機能はテレビ３０へと統合される。すなわち、テレビ３０は、コンテンツとともに広告を表示する画面（表示部）を有するコンテンツ表示装置であって、該画面に表示するコンテンツに対するユーザの操作を受け付ける操作検出部（操作検出手段；図示せず）と、該操作検出手段が該操作を受け付けた場合、該画面に表示される外広告を、該操作に対応付けられた広告に切り替える広告切替部（広告切替手段；図示せず）と、を備えていてもよい。また、上記操作検出部は、自装置と通信可能な操作装置を介して上記操作を受け付けてもよい。
【０１８２】
図２等に例示するように、テレビ３０の画面は、放送中のテレビ番組、録画データなど、広告以外のコンテンツの表示枠（例えば、図２におけるテレビ３０の画面の左側の部分）と、該コンテンツの表示（再生）に対するユーザ操作（例えば、放送中のテレビ番組に対するチャンネル切替、録画データに対する再生・停止、および音量調整等）に対応する広告の専用表示枠（例えば、図２におけるテレビ３０の画面の右側の部分）とを含む。なお、上記広告以外のコンテンツの表示枠に、テレビ番組中に挿入されている挿入広告が表示されてもよい。ただし、上記広告以外のコンテンツの表示枠に広告が表示されることがあっても、該広告は、上記広告以外のコンテンツの表示枠に表示されるコンテンツの表示に対するユーザ操作に対応付けられて管理されている広告ではない。上記広告以外のコンテンツの表示枠に表示されるコンテンツの表示に対するユーザ操作に対応付けられて管理されている広告は、上記広告の専用表示枠に表示される。
【０１８３】
そして、テレビ３０は、ユーザからの、上記広告以外のコンテンツの表示枠に表示されるコンテンツの表示（再生）に対する操作を直接受け付ける。ユーザからの上記操作を受け付けると、テレビ３０は、上記操作に対応する処理を実行し、すなわち、上記広告以外のコンテンツの表示枠に表示されるコンテンツを、ユーザの上記操作に応じて、表示（再生）処理する。一方、テレビ３０は、上記操作に対応する広告を、上記広告の専用表示枠に表示させる。なお、上記広告の専用表示枠に表示させる広告の表示の切替制御については、上記の第１の実施の形態から第６の実施の形態において説明した切替制御のいずれか、またはそれらの組合せを採用することができる。
【０１８４】
なお、携帯情報端末１０がテレビ３０に表示させる広告が全て、携帯情報端末１０によって最後まで表示されることは必須ではない。携帯情報端末１０は、テレビ３０に、ユーザ操作に対応付けられている広告を表示させればよい。ただし、携帯情報端末１０がテレビ３０に表示させる広告は、テレビ番組等に挿入される挿入広告と異なり、チャンネル切替等があった場合であっても、途中で表示が切り替えられずに最後まで表示されることが望ましい。すなわち、携帯情報端末１０は、ユーザ操作に対応付けられた広告を、テレビ３０に、該広告の最後まで表示させることが好ましい。
【０１８５】
〔実施形態７〕
携帯情報端末１０の制御ブロック（特に、広告取得部１１１、入力受付部１１２、操作信号生成部１１３、広告選択部１１４、表示制御部１１５）は、集積回路（ＩＣチップ）等に形成された論理回路（ハードウェア）によって実現してもよいし、ＣＰＵ（Central Processing Unit）を用いてソフトウェアによって実現してもよい。
【０１８６】
後者の場合、携帯情報端末１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１８７】
〔まとめ〕
本発明の態様１に係る操作装置（携帯情報端末１０）は、コンテンツを表示する表示部を有するコンテンツ表示装置（テレビ３０）をユーザが操作するための操作装置であって、上記コンテンツ表示装置の上記表示部には、上記コンテンツとともに広告が表示され、上記コンテンツ表示装置の上記表示部に表示されるコンテンツに対するユーザの操作を受け付ける操作受付手段（入力受付部１１２）と、上記操作受付手段が上記操作を受け付けた場合、上記コンテンツ表示装置の上記表示部に表示される上記広告を、上記操作に対応付けられた広告に切り替えさせる表示制御手段（表示制御部１１５）と、を備えていることを特徴としている。
【０１８８】
本発明の態様１０に係る操作装置の制御方法は、コンテンツを表示する表示部を有するコンテンツ表示装置をユーザが操作するための操作装置の制御方法であって、上記コンテンツ表示装置の上記表示部には、上記コンテンツとともに広告が表示され、上記コンテンツ表示装置の上記表示部に表示されるコンテンツに対するユーザの操作を受け付ける操作受付ステップと、上記操作受付ステップによって上記操作が受け付けられた場合、上記コンテンツ表示装置の上記表示部に表示される上記広告を、上記操作に対応付けられた広告に切り替えさせる表示制御ステップと、を含むことを特徴としている。
【０１８９】
本発明の操作装置の上記の構成および方法によれば、上記表示部に表示されるコンテンツに対するユーザの操作が上記操作受付手段によって受け付けられると、上記表示制御手段によって、上記表示部に、上記操作に対応付けられている広告を表示させることができる。
【０１９０】
一般に、ユーザが、上記コンテンツ表示装置の上記表示部に表示されるコンテンツに対する上記操作を行なおうとしている場合、ユーザは、上記表示部に注目している可能性が高い。上記操作装置は、ユーザが上記表示部に注目している可能性が高いタイミングにおいて、上記表示部に、上記操作に対応付けられている広告を表示させることができる。すなわち、上記操作装置は、ユーザが上記表示部に注目しているタイミングにおいて、広告を、上記表示部に表示させることができ、該広告の広告効果を向上させることができる。
【０１９１】
さらに、上記表示制御手段は、上記操作受付手段によって、上記コンテンツ表示装置の上記表示部に表示されるコンテンツに対するユーザの操作が受け付けられた場合、上記コンテンツ表示装置の上記表示部に表示される上記広告を、上記操作に対応付けられた広告に切り替えさせる。つまり、上記表示制御手段によって、上記コンテンツ表示装置の上記表示部に表示される上記広告は、表示を切り替えられ、つまり、上記広告の上記表示部における表示の切替のタイミングは、上記表示制御手段によって制御される。従って、上記表示部に表示される上記広告は、上記表示制御手段によって、上記表示部に、最後まで表示されることが可能となる。
【０１９２】
本発明の態様２に係る操作装置は、上記態様１において、上記表示制御手段は、上記コンテンツ表示装置の上記表示部に表示されている先の広告が最後まで表示されてから、上記操作に対応付けられた後の広告に切り替えさせてもよい。
【０１９３】
上記の構成によれば、上記コンテンツ表示装置の上記表示部に表示される広告は、最後まで表示されることが可能となる。
【０１９４】
本発明の態様３に係る操作装置は、上記態様１において、上記操作受付手段が、上記コンテンツ表示装置の上記表示部における先の広告の表示途中に、上記操作を受け付けたとき、上記表示制御手段は、上記先の広告の表示を中断して、上記操作に対応付けられた後の広告に切り替えさせるとともに、該後の広告の表示終了後に、上記先の広告を上記中断した位置あるいは最初から表示させてもよい。
【０１９５】
上記の構成によれば、上記コンテンツ表示装置の上記表示部に表示される広告の途中に、上記操作に対応付けられた広告を割り込ませて上記表示部に表示させ、かつ、途中までしか表示されていない広告についても、上記操作に対応付けられた広告が上記コンテンツ表示装置の上記表示部に最後まで表示され終わった後に、最後まで表示される。
【０１９６】
本発明の態様４に係る操作装置は、上記態様１から３のいずれかにおいて、上記操作受付手段が、先の操作を受け付けた後、所定時間内に後の操作を受け付けたとき、上記表示制御手段は、上記先の操作に対応付けられた広告への切り替えを行わせなくてもよい。
【０１９７】
上記の構成によれば、例えばユーザによってチャンネルが次々と切り替えられるなど、上記操作受付手段が、先の操作を受け付けた後、所定時間内に後の操作を受け付けたとき、上記先の操作に対応付けられた広告を、上記表示部に表示させなくすることが可能となる。
【０１９８】
本発明の態様５に係る操作装置は、上記態様１から４のいずれかにおいて、上記操作受付手段が、所定のパターン通りに、連続する複数の上記操作を所定時間内に受け付けたとき、上記表示制御手段は、上記所定のパターンの操作に対応付けられた広告に切り替えさせてもよい。
【０１９９】
上記の構成によれば、上記表示制御手段によって上記表示部に表示される広告は、上記コンテンツ表示装置の上記表示部に表示されるコンテンツに対するユーザの１つの操作にだけではなく、連続する複数の操作に対応付けられることが可能となる。従って、広告が対応付けられる上記ユーザの上記操作の種類を増やすことが可能となる。
【０２００】
本発明の態様６に係る操作装置は、上記態様１から５のいずれかにおいて、上記表示制御手段は、上記操作受付手段が上記操作を受け付けた場合、当該操作に対応付けられた広告を上記コンテンツ表示装置に送信してもよい。
【０２０１】
上記の構成によれば、上記コンテンツ表示装置は、上記操作に対応付けられた広告を、上記表示制御部から取得することが可能となる。
【０２０２】
本発明の態様７に係る操作装置は、上記態様１から６のいずれかにおいて、上記コンテンツ表示装置の上記表示部に表示される広告と同じ広告を表示する第２表示部（表示部１７０）を備え、上記表示制御手段は、上記操作受付手段が上記操作を受け付けた場合、上記コンテンツ表示装置の上記表示部に表示される上記広告とともに、上記第２表示部に表示される上記広告を、上記操作に対応付けられた広告に切り替えさせてもよい。
【０２０３】
上記の構成によれば、上記操作装置は、上記コンテンツ表示装置の上記表示部に表示される広告と同じ広告を第２表示部に表示させることができ、さらに、第２表示部に表示させる広告を、上記コンテンツ表示装置の上記表示部に表示される上記広告とともに、切り替えることが可能となる。
【０２０４】
本発明の態様８に係るコンテンツ表示装置は、コンテンツとともに広告を表示する表示部を有するコンテンツ表示装置であって、上記表示部に表示するコンテンツに対するユーザの操作を受け付ける操作検出手段と、上記操作検出手段が上記操作を受け付けた場合、上記表示部に表示される上記広告を、上記操作に対応付けられた広告に切り替える広告切替手段と、を備えていることを特徴としている。
【０２０５】
上記の構成によれば、上記コンテンツ表示装置の上記表示部にユーザが注目しているタイミングにおいて、上記コンテンツ表示装置の上記表示部に、上記コンテンツ表示装置の上記表示部に表示されるコンテンツに対するユーザの操作に対応付けられた広告を、最後まで表示させることが可能となる。
【０２０６】
本発明の態様９に係るコンテンツ表示装置は、上記態様８において、上記操作検出手段は、自装置と通信可能な操作装置を介して上記操作を受け付けてもよい。
【０２０７】
上記の構成によれば、上記コンテンツ装置のユーザは、上記操作装置を介して、上記コンテンツ装置に、上記操作を入力することが可能となる。
【０２０８】
本発明の各態様に係る操作装置は、コンピュータによって実現してもよく、この場合には、コンピュータを上記操作装置が備える各手段として動作させることにより上記操作装置をコンピュータにて実現させる操作装置の制御プログラム、およびそれを記録したコンピュータ読み取り可能な記録媒体も、本発明の範疇に入る。
【０２０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２１０】
本発明は、コンテンツと広告とを表示するテレビなどのコンテンツ表示装置、および該コンテンツ表示装置を含むシステムなどに利用することができる。
【符号の説明】
【０２１１】
１  広告システム
１０  携帯情報端末（操作装置）
２０  広告配信サーバ
３０  テレビ（コンテンツ表示装置）
１１０  制御部
１１１  広告取得部
１１２  入力受付部（操作受付手段）
１１３  操作信号生成部
１１４  広告選択部
１１５  表示制御部（表示制御手段）
１２０  第１通信部
１３０  第２通信部
１４０  第３通信部
１５０  操作部
１５１  タッチパネル
１５２  操作ボタン
１６０  音声入出力部
１７０  表示部（第２表示部）
１８０  記憶部
１８１  広告情報（広告）
１８２  表示結果情報
１８３  テレビ制御用アプリ
１８４  ウェブブラウザ
【図１】
2014203402.tif 000003
【図２】
2014203402.tif 000004
【図３】
2014203402.tif 000005
【図４】
2014203402.tif 000006
【図５】
2014203402.tif 000007
【図６】
2014203402.tif 000008
【図７】
2014203402.tif 000009
【図８】
2014203402.tif 000010
【図９】
2014203402.tif 000011
【図１０】
2014203402.tif 000012